(57)【特許請求の範囲】
【請求項１】
通信ネットワーク（１）においてデバイスツーデバイス（Ｄ２Ｄ）通信をハンドリングするための、第１のユーザ機器（１０）における方法であって、当該通信ネットワーク（１）は、第１のユーザ機器（１０）と、当該第１のユーザ機器（１０）にサービスを提供する第１の無線ネットワークノード（１４）と、第２のユーザ機器（１２）と、Ｄ２Ｄ対応無線ネットワークノード（１６、１８）と、を含み、前記方法は、
−Ｄ２Ｄ通信の相手となるべき第２のユーザ機器（１２）を認識すること（４０７、５０３）と、
−前記第１の無線ネットワークノード（１４）がＤ２Ｄケイパビリティを有しない場合、前記第１の無線ネットワークノード（１４）から前記Ｄ２Ｄ対応無線ネットワークノード（１６、１８）へのセル変更を実行すること（４１４、５０９）と、
を含む、方法。
【請求項２】
前記第２のユーザ機器（１２）が前記Ｄ２Ｄ対応無線ネットワークノード（１６）によってサービスを提供される場合に、前記第１のユーザ機器（１０）と前記第２のユーザ機器（１２）との間にＤ２Ｄ通信を確立すること（４１７、５１０）、
をさらに含む、請求項１に記載の方法。
【請求項３】
−前記第１の無線ネットワークノード（１４）から第１のＤ２Ｄケイパビリティ情報を受信すること（４０３、５０１）と、当該第１のＤ２Ｄケイパビリティ情報は、前記第１の無線ネットワークノード（１４）の前記Ｄ２Ｄケイパビリティに関連することと、
−前記Ｄ２Ｄ対応無線ネットワークノード（１６、１８）に関連する第２のＤ２Ｄケイパビリティ情報を受信すること（４１０、５０６）と、
−前記第１の無線ネットワークノード（１４）の前記Ｄ２Ｄケイパビリティ及び前記Ｄ２Ｄ対応無線ネットワークノード（１６、１８）の前記Ｄ２Ｄケイパビリティをそれぞれ判定すること（４１１、５０７）と、
をさらに含む、請求項１又は２に記載の方法。
【請求項４】
前記第１のＤ２Ｄケイパビリティ情報又は前記第２のＤ２Ｄケイパビリティ情報を受信することは、
−制御チャネル上で受信される、前記Ｄ２Ｄケイパビリティ情報を含むメッセージを取得すること、
−制御チャネル上で受信される、前記Ｄ２Ｄケイパビリティを表すインジケータを取得すること、及び／又は、
Ｄ２Ｄ対応無線ネットワークノードについて用いられる識別子の予め定義されるリストに属する無線ネットワークノード識別子を取得すること、
のうちの少なくとも１つを含む、請求項３に記載の方法。
【請求項５】
前記第２のユーザ機器（１２）を認識すること（４０７、５０３）は、前記第２のユーザ機器（１２）からビーコン信号を受信することを含み、当該ビーコン信号は、前記第２のＤ２Ｄケイパビリティ情報を含み、前記方法は、前記第１のＤ２Ｄケイパビリティ情報を前記第２のユーザ機器（１２）へ送信すること（４０８、５０５）と、前記第２のＤ２Ｄケイパビリティ情報を前記第１の無線ネットワークノード（１４）へ送信すること（４１２、５０８）と、をさらに含む、請求項３又は４に記載の方法。
【請求項６】
前記第２のユーザ機器（１２）を認識すること（４０７、５０３）は、前記第１の無線ネットワークノード（１４）から前記第２のＤ２Ｄケイパビリティ情報を受信すること（４１０、５０６）を含み、前記方法は、前記第１のＤ２Ｄケイパビリティ情報を前記第２のユーザ機器（１２）へ送信すること（４０８、５０５）をさらに含む、請求項３又は４に記載の方法。
【請求項７】
前記第２のＤ２Ｄケイパビリティ情報は、前記第２のユーザ機器（１２）又は前記第１の無線ネットワークノード（１４）から受信される、請求項３〜６のいずれか１項に記載の方法。
【請求項８】
前記第２のＤ２Ｄケイパビリティ情報は、前記第１の無線ネットワークノード（１４）及び／又は前記Ｄ２Ｄ対応無線ネットワークノード（１６）の近傍の無線ネットワークノード（１８）である近傍無線ネットワークノード（１８）に関連する、請求項７に記載の方法。
【請求項９】
前記第１の無線ネットワークノード（１４）へ要求を送信することによって、追加的な第１のＤ２Ｄケイパビリティ情報を前記第１の無線ネットワークノード（１４）に要求すること（４０４、５０２）と、要求される前記追加的な第１のＤ２Ｄケイパビリティ情報を含む応答メッセージを受信すること（４０６、５０１）と、をさらに含む、請求項１〜８のいずれか１項に記載の方法。
【請求項１０】
前記応答メッセージは、無線リソース制御（ＲＲＣ）メッセージ、メディアアクセス制御（ＭＡＣ）メッセージ、又は物理層制御メッセージである、請求項９に記載の方法。
【請求項１１】
セル変更を実行すること（４１４、５０９）は、前記第１のユーザ機器（１０）にサービスを提供する前記第１の無線ネットワークノード（１４）からメッセージを受信することを含み、当該メッセージは、前記Ｄ２Ｄ対応無線ネットワークノード（１６、１８）へのセル変更を実行するように前記第１のユーザ機器（１０）に要求する、請求項１〜１０のいずれか１項に記載の方法。
【請求項１２】
前記メッセージは、前記Ｄ２Ｄ対応無線ネットワークノード（１６、１８）から前記第１の無線ネットワークノード（１４）を介して透過的なコンテナ内で受信される、請求項１１に記載の方法。
【請求項１３】
セル変更を実行すること（４１４、５０９）は、前記第１の無線ネットワークノード（１４）から前記Ｄ２Ｄ対応無線ネットワークノード（１６、１８）へのセル変更を自律的に実行することを含む、請求項１〜１０のいずれか１項に記載の方法。
【請求項１４】
前記第１の無線ネットワークノード（１４）から前記Ｄ２Ｄ対応無線ネットワークノード（１６、１８）へのセル変更を実行すること（４１４、５０９）は、前記第１のユーザ機器（１０）によって前記Ｄ２Ｄ対応無線ネットワークノード（１６、１８）について実行される少なくとも１つのユーザ機器測定結果を考慮すること、又は、前記第１の無線ネットワークノード（１４）と前記Ｄ２Ｄ対応無線ネットワークノード（１６、１８）とを対比させる少なくとも１つのユーザ機器測定結果を考慮すること、をさらに含む、請求項１〜１３のいずれか１項に記載の方法。
【請求項１５】
前記ユーザ機器測定結果は、リファレンス信号受信電力（ＲＳＲＰ）、リファレンス信号受信品質（ＲＳＲＱ）、又はキャリア受信信号強度インジケータ（ＲＳＳＩ）を含む、請求項１４に記載の方法。
【請求項１６】
前記第１の無線ネットワークノード（１４）から前記Ｄ２Ｄ対応無線ネットワークノード（１６、１８）へのセル変更を実行すること（４１４、５０９）は、前記Ｄ２Ｄ対応無線ネットワークノード（１６、１８）についての少なくとも１つの無線ネットワークノード測定結果を考慮すること、及び／又は、前記Ｄ２Ｄ対応無線ネットワークノード（１６、１８）からの負荷標識を考慮すること、をさらに含む、請求項１〜１３のいずれか１項に記載の方法。
【請求項１７】
前記無線ネットワークノード測定結果は、基地局送信電力、ＵＬ及び／若しくはＤＬリソースブロック使用量、並びに／又はセル負荷を含み、前記負荷標識は、ハードウェア負荷、転送ネットワーク負荷、無線リソース負荷、干渉負荷、及び／又はトラフィック負荷を含む、請求項１６に記載の方法。
【請求項１８】
セル変更を実行すること（４１４、５０９）は、ハンドオーバ、接続再確立、若しくはセル再選択、別のセルへのリダイレクションを伴う接続解放、プライマリコンポーネントキャリア変更、マルチキャリアシステムにおけるプライマリセル変更、又は、マルチポイント送信及び／若しくは受信通信システムにおけるプライマリ無線リンク変更若しくはサービング無線リンク変更、を実行することを含む、請求項１〜１７のいずれか１項に記載の方法。
【請求項１９】
通信ネットワーク（１）においてＤ２Ｄ通信を可能化するための、第２の無線ネットワークノード（１６）における方法であって、当該通信ネットワーク（１）は、第１の無線ネットワークノード（１４）によってサービスを提供される第１のユーザ機器（１０）と、第２のユーザ機器（１２）と、Ｄ２Ｄ対応無線ネットワークノード（１６、１８）と、を含み、前記方法は、前記第１の無線ネットワークノード（１４）がＤ２Ｄケイパビリティを有しない場合、
−前記Ｄ２Ｄ対応無線ネットワークノード（１６、１８）への前記第１のユーザ機器（１０）のセル変更を要求すること（７０７）、
を含む、方法。
【請求項２０】
−前記第２のユーザ機器（１２）と前記第１のユーザ機器（１０）との間のＤ２Ｄ通信についてリソースを割り当てること（４１５、７０８）と、
−割り当てられた前記リソースについての情報を前記第２のユーザ機器（１２）及び前記第１のユーザ機器（１０）へ送信すること（４１６、７０９）と、
をさらに含む、請求項１９に記載の方法。
【請求項２１】
セル変更を要求すること（７０７）は、前記第２のユーザ機器（１２）にサービスを提供する前記Ｄ２Ｄ対応無線ネットワークノード（１６）への前記第１のユーザ機器（１０）のセル変更を実行するように前記第１の無線ネットワークノード（１４）に要求することを含む、請求項１９又は２０に記載の方法。
【請求項２２】
セル変更を要求すること（７０７）は、近傍の前記Ｄ２Ｄ対応無線ネットワークノード（１８）へのセル変更を実行するように前記第１のユーザ機器（１０）に前記第１の無線ネットワークノード（１４）を介して要求することを含む、請求項１９又は２０に記載の方法。
【請求項２３】
近傍の前記Ｄ２Ｄ対応無線ネットワークノード（１８）に関連するＤ２Ｄケイパビリティ情報を受信すること（４１３、７０４）、をさらに含む、請求項２２に記載の方法。
【請求項２４】
Ｄ２Ｄ通信をサポートすることが可能な１つ以上の近傍の無線ネットワークノード（１８）の１つ以上のセル識別子を送信すること（７０６）、をさらに含み、当該１つ以上のセル識別子は、前記第２のユーザ機器（１２）へ送信される、請求項１９〜２３のいずれか１項に記載の方法。
【請求項２５】
前記１つ以上の近傍の無線ネットワークノード（１８）から前記１つ以上のセル識別子を取得すること（７０５）、をさらに含む、請求項２４に記載の方法。
【請求項２６】
取得すること（７０５）は、前記１つ以上の近傍の無線ネットワークノード（１８）からＸ２通信インタフェース上の通信を介して前記１つ以上のセル識別子を取得することを含む、請求項２５に記載の方法。
【請求項２７】
取得すること（７０５）は、中央ネットワークノード（２０）から前記１つ以上のセル識別子を受信することを含む、請求項２５に記載の方法。
【請求項２８】
取得すること（７０５）は、１つ以上の近傍の無線ネットワークノード（１８）のシステム情報を読み取って当該１つ以上の近傍の無線ネットワークノード（１８）がＤ２Ｄ対応であるか否かを判定することを前記第２のユーザ機器（１２）に要求することと、その結果を前記第２のユーザ機器（１２）から受信することと、を含む、請求項２５に記載の方法。
【請求項２９】
前記第２のユーザ機器（１２）から前記第１のユーザ機器（１０）へ送信されるアップリンクパケットを分析することによって、前記第１のユーザ機器（１０）にサービスを提供する前記第１の無線ネットワークノード（１４）を識別すること（７０２）と、前記第１の無線ネットワークノード（１４）の前記Ｄ２Ｄケイパビリティを判定するために前記第１の無線ネットワークノード（１４）へＤ２Ｄ問い合わせを送信すること（７０３）と、をさらに含む、請求項１９〜２８のいずれか１項に記載の方法。
【請求項３０】
前記セル変更は、ハンドオーバ、接続再確立、若しくはセル再選択、別のセルへのリダイレクションを伴う接続解放、プライマリコンポーネントキャリア変更、マルチキャリアシステムにおけるプライマリセル変更、又はマルチポイント送信及び／若しくは受信通信システムにおけるプライマリ無線リンク変更若しくはサービング無線リンク変更である、請求項１９〜２９のいずれか１項に記載の方法。
【請求項３１】
通信ネットワーク（１）においてデバイスツーデバイス（Ｄ２Ｄ）通信をハンドリングするための第１のユーザ機器（１０）であって、当該通信ネットワーク（１）は、第１のユーザ機器（１０）と、当該第１のユーザ機器（１０）にサービスを提供する第１の無線ネットワークノード（１４）と、第２のユーザ機器（１２）と、Ｄ２Ｄ対応無線ネットワークノード（１６、１８）と、を含み、前記第１のユーザ機器（１０）は、
−Ｄ２Ｄ通信の相手となるべき第２のユーザ機器（１２）を認識するように構成される認識回路（６０５）と、
−前記第１の無線ネットワークノード（１４）がＤ２Ｄケイパビリティを有しない場合に前記第１の無線ネットワークノード（１４）から前記Ｄ２Ｄ対応無線ネットワークノード（１６、１８）へのセル変更を実行するように構成される実行回路（６０６）と、
を備える、第１のユーザ機器（１０）。
【請求項３２】
前記第２のユーザ機器（１２）が前記Ｄ２Ｄ対応無線ネットワークノード（１６）によってサービスを提供される場合に、前記第１のユーザ機器（１０）と前記第２のユーザ機器（１２）との間にＤ２Ｄ通信を確立する、ように構成される確立回路（６０７）、をさらに備える、請求項３１に記載の第１のユーザ機器（１０）。
【請求項３３】
−前記第１の無線ネットワークノード（１４）の前記Ｄ２Ｄケイパビリティに関連する第１のＤ２Ｄケイパビリティ情報を前記第１の無線ネットワークノード（１４）から受信し、及び前記Ｄ２Ｄ対応無線ネットワークノード（１６、１８）に関連する第２のＤ２Ｄケイパビリティ情報を受信するように構成される受信ポート（６０１）と、
−前記第１の無線ネットワークノード（１４）の前記Ｄ２Ｄケイパビリティ及び前記Ｄ２Ｄ対応無線ネットワークノード（１６、１８）の前記Ｄ２Ｄケイパビリティをそれぞれ判定するように構成される判定回路（６０２）と、
をさらに備える、請求項３１又は３２に記載の第１のユーザ機器（１０）。
【請求項３４】
前記受信ポート（６０１）は、
−制御チャネル上で受信される、前記Ｄ２Ｄケイパビリティ情報を含むメッセージを取得し、及び／又は、
−制御チャネル上で受信される、前記Ｄ２Ｄケイパビリティを表すインジケータを取得し、及び／又は、
−Ｄ２Ｄ対応無線ネットワークノードについて用いられる識別子の予め定義されるリストに属する無線ネットワークノード識別子を取得する、
ように構成される、請求項３３に記載の第１のユーザ機器（１０）。
【請求項３５】
前記認識回路（６０５）は、前記第２のユーザ機器（１２）からビーコン信号を受信するように構成され、当該ビーコン信号は、前記第２のＤ２Ｄケイパビリティ情報を含み、前記第１のユーザ機器（１０）は、前記第１のＤ２Ｄケイパビリティ情報を前記第２のユーザ機器（１２）へ送信し、及び前記第２のＤ２Ｄケイパビリティ情報を前記第１の無線ネットワークノード（１４）へ送信するように構成される送信ポート（６０４）、をさらに備える、請求項３３又は３４に記載の第１のユーザ機器（１０）。
【請求項３６】
前記認識回路（６０５）は、前記第１の無線ネットワークノード（１４）から前記第２のＤ２Ｄケイパビリティ情報を受信するように構成され、前記第１のユーザ機器（１０）は、前記第１のＤ２Ｄケイパビリティ情報を前記第２のユーザ機器（１２）へ送信するように構成される送信ポート（６０４）、をさらに備える、請求項３３又は３４に記載の第１のユーザ機器（１０）。
【請求項３７】
前記受信ポート（６０１）は、前記第２のＤ２Ｄケイパビリティ情報を前記第２のユーザ機器（１２）又は前記第１の無線ネットワークノード（１４）から受信するように構成される、請求項３３〜３６のいずれか１項に記載の第１のユーザ機器（１０）。
【請求項３８】
前記第２のＤ２Ｄケイパビリティ情報は、前記第１の無線ネットワークノード（１４）及び／又は前記Ｄ２Ｄ対応無線ネットワークノード（１６）の近傍の無線ネットワークノード（１８）である近傍無線ネットワークノード（１８）に関連する、請求項３７に記載の第１のユーザ機器（１０）。
【請求項３９】
無線リソース制御（ＲＲＣ）メッセージを前記第１の無線ネットワークノード（１４）へ送信することによって、及び要求される追加的な第１のＤ２Ｄケイパビリティ情報を含む無線リソース制御（ＲＲＣ）応答メッセージを受信することによって、前記第１の無線ネットワークノード（１４）に前記追加的な第１のＤ２Ｄケイパビリティ情報を要求する、ように構成される要求回路（６０３）、をさらに備える、請求項３１〜３８のいずれか１項に記載の第１のユーザ機器（１０）。
【請求項４０】
前記実行回路（６０６）は、前記第１のユーザ機器（１０）にサービスを提供する前記第１の無線ネットワークノード（１４）からメッセージを受信するように構成され、当該メッセージは、前記Ｄ２Ｄ対応無線ネットワークノード（１６、１８）へのセル変更を実行するように前記第１のユーザ機器（１０）に要求する、請求項３１〜３９のいずれか１項に記載の第１のユーザ機器（１０）。
【請求項４１】
前記実行回路（６０６）は、前記第１の無線ネットワークノード（１４）から前記Ｄ２Ｄ対応無線ネットワークノード（１６、１８）へのセル変更を自律的に実行するように構成される、請求項３１〜４０のいずれか１項に記載の第１のユーザ機器（１０）。
【請求項４２】
前記実行回路（６０６）は、ハンドオーバ、接続再確立、若しくはセル再選択、プライマリコンポーネントキャリア変更、マルチキャリアシステムにおけるプライマリセル変更、又は、マルチポイント送信及び／若しくは受信通信システムにおけるプライマリ無線リンク変更若しくはサービング無線リンク変更、を実行するように構成される、請求項３１〜４１のいずれか１項に記載の第１のユーザ機器（１０）。
【請求項４３】
通信ネットワーク（１）においてＤ２Ｄ通信を可能化するための第２の無線ネットワークノード（１６）であって、当該通信ネットワーク（１）は、第１の無線ネットワークノード（１４）によってサービスを提供される第１のユーザ機器（１０）と、第２のユーザ機器（１２）と、Ｄ２Ｄ対応無線ネットワークノード（１６、１８）と、を含み、前記第２の無線ネットワークノード（１６）は、
前記第１の無線ネットワークノード（１４）がＤ２Ｄケイパビリティを有しない場合に、Ｄ２Ｄ対応無線ネットワークノード（１６、１８）への前記第１のユーザ機器（１０）のセル変更を要求する、ように構成される要求回路（８０４）、
を備える、第２の無線ネットワークノード（１６）。
【請求項４４】
−前記第２のユーザ機器（１２）と前記第１のユーザ機器（１０）との間のＤ２Ｄ通信についてリソースを割り当てるように構成される割り当て回路（８０５）と、
割り当てられた前記リソースについての情報を前記第２のユーザ機器（１２）及び前記第１のユーザ機器（１０）へ送信するように構成される受信及び送信回路（８０１）と、
をさらに備える、請求項４３に記載の第２の無線ネットワークノード（１６）。
【請求項４５】
前記要求回路（８０４）は、前記第２のユーザ機器（１２）にサービスを提供する前記Ｄ２Ｄ対応無線ネットワークノード（１６）への前記第１のユーザ機器（１０）のセル変更を実行するように前記第１の無線ネットワークノード（１４）に要求するように構成される、請求項４３又は４４に記載の第２の無線ネットワークノード（１６）。
【請求項４６】
前記要求回路（８０４）は、近傍のＤ２Ｄ対応無線ネットワークノード（１８）へのセル変更を実行するように前記第１の無線ネットワークノード（１４）を介して前記第１のユーザ機器（１０）に要求するように構成される、請求項４３又は４４に記載の第２の無線ネットワークノード（１６）。
【請求項４７】
前記受信及び送信回路（８０１）は、近傍の前記Ｄ２Ｄ対応無線ネットワークノード（１８）に関連するＤ２Ｄケイパビリティ情報を受信するように構成される、請求項４６に記載の第２の無線ネットワークノード（１６）。
【請求項４８】
前記受信及び送信回路（８０１）は、Ｄ２Ｄ通信をサポートすることが可能な１つ以上の近傍の無線ネットワークノード（１８）の１つ以上のセル識別子を送信するように構成され、当該１つ以上のセル識別子は、前記第２のユーザ機器（１２）へ送信される、請求項４３〜４７のいずれか１項に記載の第２の無線ネットワークノード（１６）。
【請求項４９】
前記１つ以上の近傍の無線ネットワークノード（１８）から前記１つ以上のセル識別子を取得するように構成される取得回路（８０３）、をさらに備える、請求項４８に記載の第２の無線ネットワークノード（１６）。
【請求項５０】
前記取得回路（８０３）は、前記１つ以上の近傍の無線ネットワークノード（１８）からＸ２通信インタフェース上の通信を介して前記１つ以上のセル識別子を取得するように構成される、請求項４９に記載の第２の無線ネットワークノード（１６）。
【請求項５１】
前記取得回路（８０３）は、中央ネットワークノード（２０）から前記１つ以上のセル識別子を受信するように構成される、請求項４９に記載の第２の無線ネットワークノード（１６）。
【請求項５２】
前記取得回路（８０３）は、１つ以上の近傍の無線ネットワークノード（１８）のシステム情報を読み取って当該１つ以上の近傍の無線ネットワークノード（１８）がＤ２Ｄ対応であるか否かを判定することを前記第２のユーザ機器（１２）に要求し、及びその結果を前記第２のユーザ機器（１２）から受信する、ように構成される、請求項４９に記載の第２の無線ネットワークノード（１６）。
【請求項５３】
前記第２のユーザ機器（１２）から前記第１のユーザ機器（１０）へ送信されるアップリンクパケットを分析することによって、前記第１のユーザ機器（１０）にサービスを提供する前記第１の無線ネットワークノード（１４）を識別し、及び前記第１の無線ネットワークノード（１４）の前記Ｄ２Ｄケイパビリティを判定するために前記第１の無線ネットワークノード（１４）へＤ２Ｄ問い合わせを送信する、ように構成される判定回路（８０２）、をさらに含む、請求項４３〜５２のいずれか１項に記載の第２の無線ネットワークノード（１６）。
【請求項５４】
前記セル変更は、ハンドオーバ、接続再確立、若しくはセル再選択、別のセルへのリダイレクションを伴う接続解放、プライマリコンポーネントキャリア変更、マルチキャリアシステムにおけるプライマリセル変更、又は、マルチポイント送信及び／若しくは受信通信システムにおけるプライマリ無線リンク変更若しくはサービング無線リンク変更である、請求項４３〜５３のいずれか１項に記載の第２の無線ネットワークノード（１６）。
【発明の詳細な説明】
【技術分野】
【０００１】
ここでの実施形態は、ユーザ機器及び無線ネットワークノード、並びにそれらにおける方法に関する。特に、ここでの実施形態は、通信ネットワークにおいてデバイスツーデバイス通信をハンドリングし及び可能化することに関する。
【背景技術】
【０００２】
ユーザ機器（ＵＥ：User  Equipments）などの通信デバイスは、セルラ無線システム又はセルラネットワークと呼ばれることもある無線通信システムにおいて無線で通信することを可能化される。通信は、例えば、２つのユーザ機器間、ユーザ機器と通常の電話機との間、及び／並びにユーザ機器とサーバとの間で、無線通信システムに含まれる、無線アクセスネットワーク（ＲＡＮ：Radio  Access  Network）及びおそらく１つ以上のコアネットワークを介して実行され得る。
【０００３】
ユーザ機器は、例えば、モバイル端末、無線端末及び／又は移動局としても知られ、幾つかのさらなる例を挙げるだけでも、モバイル電話、セルラ電話、又は無線ケイパビリティを有するラップトップとも呼ばれ得る。本コンテキストにおけるユーザ機器は、別のエンティティとＲＡＮを介して音声及び／又はデータを通信することを可能化される、例えば、ポータブルモバイルデバイス、ポケット収容可能なモバイルデバイス、ハンドヘルドモバイルデバイス、コンピュータ内蔵モバイルデバイス又は車載型モバイルデバイスであり得る。
【０００４】
無線通信システムは、複数のセルエリアに分割される地理的エリアをカバーし、各セルエリアは、基地局（ＢＳ：Base  Station）、例えば、無線基地局（ＲＢＳ：Radio  Base  Station）などのネットワークノードによってサービスを提供される。基地局は、用いられる技術及び専門用語に依存して、例えば、ｅＮＢ、ｅＮｏｄｅＢ、ノードＢ、Ｂノード、又はＢＴＳ（Base  Transceiver  Station）と呼ばれることもある。基地局は、送信電力及びその結果セルサイズにも基づいて、マクロｅＮｏｄｅＢ、ホームｅＮｏｄｅＢ又はピコ基地局などの様々なクラスに所属し得る。セルは、基地局サイトにおける基地局によって無線カバレッジが提供される地理的エリアである。基地局サイトに位置する１つの基地局は、１つ又は幾つかのセルにサービスを提供し得る。さらに、各基地局は、１つ又は幾つかの無線アクセス技術及び通信技術をサポートし得る。基地局は、当該基地局のレンジ内のユーザ機器と、無線周波数上で動作する無線インタフェースを通じて通信する。
【０００５】
幾つかのＲＡＮにおいて、幾つかの基地局は、例えば、固定電話回線又はマイクロ波によって、無線ネットワークコントローラ、例えば、ＵＭＴＳ（Universal  Mobile  Telecommunications  System）内の無線ネットワークコントローラへ、及び／又は互いに接続され得る。例えば、ＧＳＭにおいて基地局コントローラ（ＢＳＣ：Base  Station  Controller）と称されることもある無線ネットワークコントローラは、当該無線ネットワークコントローラに接続される複数の基地局の種々のアクティビティをスーパーバイズし及び協調させ得る。ＧＳＭは、Global  System  for  Mobile  Communications（本来は：Group  Special  Mobile）についての略称である。
【０００６】
第３世代パートナーシッププロジェクト（３ＧＰＰ：3rd  Generation  Partnership  Project）ロングタームエボリューション（ＬＴＥ）において、ｅＮｏｄｅＢ又はｅＮＢと呼ばれることもある基地局は、１つ以上のコアネットワークに直接接続され得る。
【０００７】
ＵＭＴＳは、ＧＳＭから発展した第３世代のモバイル通信システムであり、広帯域符号分割多元接続（ＷＣＤＭＡ：Wideband  Code  Division  Multiple  Access）アクセス技術に基づいて、改良されたモバイル通信サービスを提供することを意図されている。ＵＴＲＡＮ（UMTS  Terrestrial  Radio  Access  Network）は、実質的に、ユーザ機器について広帯域符号分割多元接続を用いる無線アクセスネットワークである。３ＧＰＰは、ＵＴＲＡＮ及びＧＳＭベースの無線アクセスネットワーク技術をさらに発展させることに取り組んできた。
【０００８】
３ＧＰＰ／ＧＥＲＡＮによれば、ユーザ機器は、マルチスロットクラスを有し、これは、アップリンク方向及びダウンリンク方向における最大転送レートを判定する。ＧＥＲＡＮは、GSM  EDGE  Radio  Access  Networkの略称である。さらに、ＥＤＧＥは、Enhanced  Data  rates  for  GSM  Evolutionの略称である。
【０００９】
本開示のコンテキストにおいて、ダウンリンク（ＤＬ）という表現は、基地局から移動局への送信パスについて用いられる。アップリンク（ＵＬ）という表現は、その逆方向、即ち、移動局から基地局への送信パスについて用いられる。
【００１０】
ユーザ機器がパワーオンされると、当該ユーザ機器は、初期セル選択手続きを開始する。初期セル選択手続きの目的は、ユーザ機器ができるだけ速くサービスを受けることを確保することである。ユーザ機器は、この手続きを用いて、Ｅ−ＵＴＲＡ帯域内の全ての無線周波数（ＲＦ：Radio  Frequency）チャネルを当該ユーザ機器のケイパビリティに従ってスキャンして、適切なセルを発見する。ここで、適切とは、無線測定結果ベースの基準、例えば、リファレンス信号受信電力（ＲＳＲＰ：Reference  Signal  Received  Powerと、他の基準、例えば、ユーザ機器が滞在する（camp  on）ことが可能な公衆地上移動ネットワーク（ＰＬＭＮ：Public  Land  Mobile  Network）に属するセルとの組み合わせをいう。
【００１１】
一旦ユーザ機器が適切なセルに滞在すると、当該ユーザ機器は、滞在するための最良のセルを探索し続ける。この手続きは、セル再選択（cell  reselection）と呼ばれる。その目的は、セルランキング基準と呼ばれる何らかの所定の基準のセットの観点から最良であるセルにユーザ機器が常に滞在することを確保することである。概して、セル再選択は、ユーザ機器がシステムブロードキャスト情報を継続的に受信し、及びそのＰＬＭＮのカバレッジエリア内で継続的にページングされ得ることを確保する基本的なアイドルモードモビリティ手続きである。セル再選択は、ユーザ機器が一旦ページングされると、良好なカバレッジを提供するセルにおいて当該ユーザ機器が接続モードに入ることも確保する。
【００１２】
ハンドオーバは、進行中の呼又はデータセッションをコアネットワークに接続された１つのチャネルから別のチャネルへ移送（transfer）することを言う。
【００１３】
セル変更は、ユーザ機器がＲＡＴ（radio  access  technology）間ハンドオーバを、例えば、ＧＥＲＡＮとＷＣＤＭＡネットワークとの間で実行する場合のモビリティを説明するために用いられ得る。幾つかのネットワークにおいて、そのようなＲＡＴ間セル変更は、旧ネットワークに依然として接続された状態で新たなネットワークのシステム情報を送信することによってサポートされ、それによって、ＲＡＴ間モビリティ手続きを容易にする。セル変更は、セル（再）選択手続き及びハンドオーバ手続きといったアイドルモード及び接続モードモビリティの全体を指すが、ＲＡＴ間及び周波数間モビリティのケースも含み得る。
【００１４】
セルラインフラストラクチャを基礎とする（underlaying）ネットワーク支援型デバイスツーデバイス（Ｄ２Ｄ）通信において、互いに近接するユーザ機器は、デバイスツーデバイスリンク又はデバイスツーデバイスベアラとも呼ばれる直接的な無線リンクを確立し得る。本説明において、デバイスツーデバイスという表現は、Ｄ２Ｄと呼ばれるであろう。ネットワーク支援型Ｄ２Ｄ通信は、セルラ無線アクセスネットワークを基礎とするネットワークＤ２Ｄ通信、又は略してＲＡＮアンダーレイ（RAN  underlay）としてのＤ２Ｄと呼ばれることもある。
【００１５】
図１は、従来技術に係る、ＲＡＮにおけるネットワーク支援型Ｄ２Ｄ通信シナリオを概略的に例示する。ユーザ機器Ａ（ＵＥ−Ａ）は、第１のネットワークノード、例えば、サービング基地局ｅＮＢ−Ａに接続され、ユーザ機器Ｂ（ＵＥ−Ｂ）は、第２のネットワークノード、例えば、サービング基地局ｅＮＢ−Ｂに接続される。ＲＡＮは、この例において、ユーザ機器Ａ、Ｂ；並びに第１及び第２のネットワークノードｅＮＢ−Ａ、ｅＮＢ−Ｂを備える。さらに、ユーザ機器Ａ及びユーザ機器Ｂは、互いに近接している。このような場合において、ＲＡＮは、ユーザ機器Ａ及びＢを支援して、当該ユーザ機器Ａ及びＢが通信することができるＤ２Ｄリンクを確立し得る。
【００１６】
この説明において用いられる場合、互いに近接するユーザ機器とは、互いに１００〜１５０ｍの距離内に位置するユーザ機器を意味する。ただし、認可されたスペクトル帯域において通信し、その結果、２４ｄＢｍなどのより高い電力レベルで送信することを許可されるデバイスは、ある伝搬条件下で、より大きな距離、例えば、１０００ｍまでの距離で互いにデータを発見し及び移送することが可能である。
【００１７】
ユーザ機器Ａ及びユーザ機器Ｂは、Ｄ２Ｄリンク上で通信する間、図１のそれぞれのサービング基地局ｅＮＢ−Ａ、ｅＮＢ−Ｂとのセルラ接続も維持する。このようにして、セルラＲＡＮは、Ｄ２Ｄリンクについてのセルラリソースを割り当てること、送信側のユーザ機器に最大送信電力を示すこと、及び、一般的に、セルラユーザ機器又は基地局からの干渉から当該Ｄ２Ｄリンクを保護することにおいて、ユーザ機器Ａ及びＢを支援することができる。ネットワーク支援型Ｄ２Ｄ通信の基本的な原理は、セルラスペクトルを利用してユーザ機器間の短距離直接通信を可能にすることである。
【００１８】
ネットワーク支援Ｄ２Ｄ通信は、ＲＡＮと、実質的にはネットワークノード、即ち、適用可能な場合にはネットワーク内に含まれる基地局又は無線ネットワークコントローラとが、特にＤ２Ｄピア発見及びＤ２Ｄリンク確立をサポートする目的のための機能性を実装することを必要とする。そのような機能性は、Ｄ２Ｄ通信の詳細及びプロトコルが成熟し及び標準化されるに従って、ネットワークノードに漸次的に導入されることが予期される。例えば、Ｄ２Ｄ通信固有の新たな機能性は、モード選択の機能である。モード選択機能は、ユーザ機器がセルラインフラストラクチャを介して通信すべきか又は直接的なＤ２Ｄリンクを用いて通信すべきかを決定する。概して、新たな機能性のセットは、Ｄ２Ｄ層とセルラ層との間の干渉の管理に関連し、ＲＡＮのカバレッジ内のセルラリンク及びＤ２Ｄリンク共存に関するモビリティ、セキュリティ及びサービス品質の問題にも関連する。
【００１９】
Ｄ２Ｄ通信をサポートするネットワークノードについての基本的な要件は、当該ネットワークノードがレガシーのＲＡＮノードと共存することが可能であるべきであることである。なぜなら、Ｄ２Ｄの機能性は既存のＲＡＮインフラストラクチャへ漸次的に導入されていくであろうためである。レガシーのＲＡＮノードとは、本明細書において、Ｄ２Ｄ通信をサポートしないＲＡＮノードを意味する。同様に、レガシーのユーザ機器、即ち、Ｄ２Ｄ通信をサポートしないユーザ機器は、無線アクセスネットワークにおいてＤ２Ｄ対応のユーザ機器と共存することが予期される。従って、将来的なＲＡＮにおいて、Ｄ２Ｄ機能性有りの又は無しのネットワークノード及び／又はユーザ機器が存在することが予期される。
【００２０】
図２は、混合（mixed）通信ネットワークとも呼ばれる、Ｄ２Ｄ機能性有りのネットワークノード及びＤ２Ｄ機能性無しのネットワークノードを含む通信ネットワークを概略的に例示する。混合通信ネットワークは、ユーザ機器Ａ（ＵＥ−Ａ）と、当該ユーザ機器Ａが接続されるＤ２Ｄ対応のネットワークノードｅＮＢ−Ａと、を含む。上記通信ネットワークは、ユーザ機器Ｂ（ＵＥ−Ｂ）と、当該ユーザ機器Ｂ（ＵＥ−Ｂ）が接続されるレガシーの又はＤ２Ｄ限定対応（limited  D2D  capable）のネットワークノードｅＮＢ−Ｂと、をさらに含む。このような混合通信ネットワークにおいて、互いに近接する、ユーザ機器ＡなどのＤ２Ｄ対応のユーザ機器とユーザ機器Ｂとは、当該ユーザ機器Ａ、Ｂの双方がＤ２Ｄ対応のネットワークノードｅＮＢ−ＡなどのＤ２Ｄ対応のネットワークノードに接続されていない限り、事業者のスペクトル内でＤ２Ｄリンクを確立することはできない。事業者のスペクトルとは、事業者によって認可される（licensed）スペクトルを意味する。これは、当該スペクトルを所有する事業者によって許可されない限り、無線リソースへの未承認のアクセスを禁じる。
【００２１】
従って、Ｄ２Ｄ通信をサポートするそれらのケイパビリティの観点からヘテロジニアスなネットワークノードを含むＲＡＮ（図２を参照）において、互いに近接する２つのＤ２Ｄ対応ユーザ機器は、双方のネットワークノードがネットワーク支援型Ｄ２Ｄ通信をサポートすることが可能でない限り又は当該２つのＤ２Ｄ対応ユーザ機器がネットワーク支援型Ｄ２Ｄ通信をサポートすることが可能な同じのネットワークノードに接続されていない限り、Ｄ２Ｄリンクを確立することができない。
【００２２】
緊密型の再利用の配備（tight  reuse  deployments）を想定すると、互いに近接する２つのＤ２Ｄ対応ユーザ機器Ａ及びＢの双方がＤ２Ｄ対応のネットワークノードによってサービスを提供されない限り、当該ユーザ機器Ａ及びＢがＤ２Ｄリンクを確立することができない理由は、事業者のスペクトル内のＤ２Ｄ通信がユーザ機器Ａ及びＢと共存し、ユーザ機器Ａ及びＢがそれぞれのサービングネットワークノード、例えば基地局、と通信するように、当該Ｄ２Ｄ通信が管理される必要があるためである。つまり、事業者のスペクトル内のＤ２Ｄ通信は、セルラモードにあるそれぞれのサービング基地局と通信する伝統的なセルラユーザ機器と当該Ｄ２Ｄ通信とが共存し得るように管理される必要がある。換言すれば、Ｄ２Ｄ層、即ち、基礎となる層とセルラ層とは、複数のネットワークノードにまたがって管理される必要があるため、Ｄ２Ｄ通信及びセルラ層の管理は、Ｄ２Ｄ対応のネットワークノード及び非Ｄ２Ｄ対応のネットワークノードの双方を含むヘテロジニアス通信ネットワークにおける重要な問題となる。
【００２３】
この説明において、緊密型の再利用の配備は、セル間の周波数再利用係数が１に近い又は１に等しいことを意味する。換言すれば、ＯＦＤＭサブキャリアなどの周波数リソースの殆ど又は全ては、セルラネットワークのあらゆるセルにおいて通信のために再利用される。緊密型の再利用の配備を有する幾つかのシステムの例は、ＷＣＤＭＡ、ＬＴＥ、ＣＤＭＡ２０００等である。
【００２４】
図２のシナリオ内の様々な状況において基本的な問題が生じる。
【００２５】
第１の状況において、ユーザ機器Ａ（ＵＥ−Ａ）とユーザ機器Ｂ（ＵＥ−Ｂ）とは、互いの近接性（proximity）を発見するが、これらのうちの少なくとも一方又はおそらく双方は、Ｄ２Ｄ対応のネットワークノード、例えば、ｅＮｏｄｅＢ−Ａ（ｅＮＢ−Ａ）などの基地局に現在は接続されておらず、即ち、当該Ｄ２Ｄ対応のネットワークノードによってサービスを提供されていない。
【００２６】
第２の状況において、ユーザ機器Ａ（ＵＥ−Ａ）とユーザ機器Ｂ（ＵＥ−Ｂ）とは、Ｄ２Ｄ対応ではない同じネットワークノード、例えば、ｅＮｏｄｅＢ−Ｂ（ｅＮＢ−Ｂ）などの基地局に現在接続されている。
【００２７】
第３の状況において、ユーザ機器Ａ（ＵＥ−Ａ）とユーザ機器Ｂ（ＵＥ−Ｂ）とは、Ｄ２Ｄ対応の同じネットワークノード、例えば、ｅＮｏｄｅＢ−Ａ（ｅＮＢ−Ａ）などの基地局に現在接続されているが、ユーザ機器Ａ（ＵＥ−Ａ）は、非Ｄ２Ｄ対応のネットワークノード、例えば、ｅＮｏｄｅＢ−Ｂ（ｅＮＢ−Ｂ）などの基地局へハンドオーバしようとしている。
【００２８】
米国特許出願第２０１０／０２６１４６９Ａ１号、米国特許出願第２０１０／０００９６７５Ａ１号、及び国際公開第２０１０／００６６５０号は、概して、及び上述した混合通信ネットワークの不利益を被るＤ２Ｄ通信に関する。
【発明の概要】
【発明が解決しようとする課題】
【００２９】
ここでの実施形態の１つの目的は、ユーザ機器間の短距離直接通信を可能にすることによって、通信ネットワーク内のパフォーマンスを改良する手法を提供することである。
【課題を解決するための手段】
【００３０】
ここでの実施形態の第１の態様によれば、上記目的は、通信ネットワークにおいてデバイスツーデバイス（Ｄ２Ｄ）通信をハンドリングするための、第１のユーザ機器における方法によって達成される。当該通信ネットワークは、第１のユーザ機器と、当該第１のユーザ機器にサービスを提供する第１の無線ネットワークノードと、第２のユーザ機器と、Ｄ２Ｄ対応無線ネットワークノードと、を含む。第１のユーザ機器は、Ｄ２Ｄ通信の相手となるべき第２のユーザ機器を認識し、及び、第１の無線ネットワークノードがＤ２Ｄケイパビリティを有しない場合、第１の無線ネットワークノードからＤ２Ｄ対応無線ネットワークノードへのセル変更を実行する。
【００３１】
ここでの実施形態の第２の態様によれば、上記目的は、通信ネットワークにおいてＤ２Ｄ通信をハンドリングするための第１のユーザ機器によって達成される。当該通信ネットワークは、第１のユーザ機器と、当該第１のユーザ機器にサービスを提供する第１の無線ネットワークノードと、第２のユーザ機器と、Ｄ２Ｄ対応無線ネットワークノードと、を含む。第１のユーザ機器は、Ｄ２Ｄ通信の相手となるべき第２のユーザ機器を認識するように構成される認識回路と、第１の無線ネットワークノードがＤ２Ｄケイパビリティを有しない場合に第１の無線ネットワークノードからＤ２Ｄ対応無線ネットワークノードへのセル変更を実行するように構成される実行回路と、を備える。
【００３２】
ここでの実施形態の第３の態様によれば、上記目的は、通信ネットワークにおいてＤ２Ｄ通信を可能化するための、第２の無線ネットワークノードにおける方法によって達成される。当該通信ネットワークは、第１の無線ネットワークノードによってサービスを提供される第１のユーザ機器と、第２のユーザ機器と、Ｄ２Ｄ対応無線ネットワークノードと、を含む。第２の無線ネットワークノードは、第１の無線ネットワークノードがＤ２Ｄケイパビリティを有しない場合、Ｄ２Ｄ対応無線ネットワークノードへの第１のユーザ機器のセル変更を要求する。
【００３３】
ここでの実施形態の第４の態様によれば、上記目的は、通信ネットワークにおいてＤ２Ｄ通信を可能化するための第２の無線ネットワークノードによって達成される。当該通信ネットワークは、第１の無線ネットワークノードによってサービスを提供される第１のユーザ機器と、第２のユーザ機器と、Ｄ２Ｄ対応無線ネットワークノードと、を含む。第２の無線ネットワークノードは、第１の無線ネットワークノードがＤ２Ｄケイパビリティを有しない場合にＤ２Ｄ対応無線ネットワークノードへの第１のユーザ機器のセル変更を要求するように構成される要求回路を備える。
【発明の効果】
【００３４】
第１の無線ネットワークノードがＤ２Ｄケイパビリティを有しない場合に第１の無線ネットワークノードからＤ２Ｄ対応無線ネットワークノードへのセル変更が実行されるため、非Ｄ２Ｄ対応のネットワークノード及びＤ２Ｄ対応のネットワークノードの双方を含む混合通信ネットワークにおいて、Ｄ２Ｄ通信が獲得される。これは、デバイス間の短距離直接Ｄ２Ｄ通信を可能にすることによって、通信ネットワークにおける改良されたパフォーマンスをもたらす。
【００３５】
ここでの実施形態の利点は、レガシーのネットワークノードとＤ２Ｄ対応のネットワークノードとの混合を含む通信ネットワークにおいてＤ２Ｄ通信が可能化される点である。
【００３６】
ここでの実施形態のさらなる利点は、既存の通信ネットワークへのＤ２Ｄ対応のネットワークノードの漸次的な導入が提供される点である。
【００３７】
ここでの実施形態のさらなる利点は、通信の開始よりも前には、異なるケイパビリティを有する異なるネットワークノードによってデバイスが制御されるとしても、Ｄ２Ｄ通信が当該デバイス間で維持され得るという点である。
【００３８】
ここでの実施形態のさらなる利点は、全体的な電力消費及び干渉が低減されることとなる点である。なぜなら、最も近接するユーザ機器のペア間、又は必要とされるリソースの観点から最も実現性のあるユーザ機器のペア間で、それらユーザ機器が当初は異なるケイパビリティを有する異なるネットワークノードによって制御されている場合に、Ｄ２Ｄ通信がセル変更のおかげで確立され得るためである。
【図面の簡単な説明】
【００３９】
実施形態は、以下の図面を参照しつつ、より詳細に説明されるであろう。当該図面において：
【００４０】
【図１】従来技術の通信ネットワークを例示する概略ブロック図である。
【図２】従来技術の通信ネットワークを例示する概略ブロック図である。
【図３】通信ネットワークの実施形態を例示する概略ブロック図である。
【図４】通信ネットワークの実施形態のフローチャート及びシグナリングスキームを組み合わせた概略図である。
【図５】第１のユーザ機器における方法の実施形態を表すフローチャートである。
【図６】第１のユーザ機器の実施形態を表すフローチャートである。
【図７】ネットワークノードにおける方法の実施形態を表すフローチャートである。
【図８】ネットワークノードの実施形態を例示する概略ブロック図である。
【発明を実施するための形態】
【００４１】
実施形態は、以下の非限定的な説明において例証される。
【００４２】
図３は、第１のユーザ機器１０と、当該第１のユーザ機器１０にサービスを提供する第１の無線ネットワークノード１４と、を含む通信ネットワーク１を例示する。第１の無線ネットワークノード１４は、第１のセル１４ａを形成する少なくとも１つの地理的エリアに無線カバレッジを提供する。第１のユーザ機器１０は、アップリンク（ＵＬ）送信において第１の無線ネットワークノード１４へ無線インタフェースを通じてデータを送信し、第１の無線ネットワークノード１４は、ダウンリンク（ＤＬ）送信において第１のユーザ機器１０へデータを送信する。
【００４３】
通信ネットワーク１は、第２のユーザ機器１２と、少なくとも１つのＤ２Ｄ対応無線ネットワークノード１６、１８と、をさらに含む。図３におけるシナリオにおいて、２つのＤ２Ｄ対応ネットワークノード１６及び１８が示される。少なくとも１つのＤ２Ｄ対応無線ネットワークノード１６、１８は、セル１６ａ、１８ａを形成する少なくとも１つの地理的エリアに無線カバレッジを提供する。図３のシナリオにおいて、第１のＤ２Ｄ対応ネットワークノード１６は、セル１６ａを形成する地理的エリアに無線カバレッジを提供し、第２のＤ２Ｄ対応ネットワークノード１８は、セル１８ａを形成する地理的エリアに無線カバレッジを提供する。第２のユーザ機器１２は、アップリンク（ＵＬ）送信において少なくとも１つのＤ２Ｄ対応無線ネットワークノード１６、１８へ無線インタフェースを通じてデータを送信し、当該少なくとも１つのＤ２Ｄ対応無線ネットワークノード１６、１８は、ダウンリンク（ＤＬ）送信において第２のユーザ機器１２へデータを送信する。
【００４４】
幾つかの実施形態において、少なくとも１つのＤ２Ｄ対応無線ネットワークノード１６、１８は、第２のユーザ機器１２にサービスを提供する第２のネットワークノード１６である。幾つかの他の実施形態において、通信ネットワーク１は、第２のユーザ機器１２にサービスを提供する第２のネットワークノード１６と、第３のネットワークノード１８と、を含む。第３のネットワークノード１８は、第１のユーザ機器１０にサービスを提供する第１のネットワークノード１４及び／又は第２のユーザ機器１２にサービスを提供する第２のネットワークノード１６に隣接して位置する近傍ネットワークノード１８であり得る。
【００４５】
第１及び第２のユーザ機器１０、１２は、例えば、モバイル端末又は無線端末、携帯電話、ラップトップなどのコンピュータ、ｉＰａｄ（登録商標）などのタブレットＰＣ、ＰＤＡ（Personal  Digital  Assistant）、又はセルラ通信ネットワークにおいて無線リンクを通じて通信することが可能な任意の他の無線ネットワークユニットであってもよい。複数の他のユーザ機器（図示せず）も、それぞれのセル１４ａ、１６ａ、１８ａ内に位置し得る。
【００４６】
無線ネットワークノード１４、１６、１８は、ｅＮＢ、ｅＮｏｄｅＢ、又はホームノードＢ、ホームｅＮｏｄｅＢ、ＧＳＭ／ＥＤＧＥ無線基地局、又はセルラ通信ネットワークにおいてユーザ機器にサービスを提供することが可能な任意の他のネットワークユニットといった基地局であり得る。
【００４７】
幾つかの実施形態において、通信ネットワークは、ＯＳＳ（Operations  Support  System）、ＳＯＮ（Self-Organizing  Network）、中央（centralized）ノード、ネットワークコントローラ等といった中央ネットワークノード２０を含む。中央ネットワークノード２０は、各ネットワークノード、例えば、各無線ネットワークノード１４、１６、１８に、そのＤ２Ｄ対応の近傍ノードとそれぞれの関連付けられるセルＩＤについて通知するように構成され得る。中央ネットワークノード２０、例えば、ＯＳＳは、標準化されたインタフェース、いわゆるＯ＆Ｍ（Operation  and  Maintenance）インタフェースとＯ＆Ｍメッセージとを用いて無線ネットワークノードへ情報を送信することによって、各無線ネットワークノードに通知し得る。
【００４８】
本明細書において説明される実施形態は、Ｄ２Ｄリンクを確立することを望むＤ２Ｄ対応ユーザ機器１０、１２がＤ２Ｄ対応ネットワークノード１６、１８に接続されることを確保する。
【００４９】
幾つかの実施形態において、Ｄ２Ｄ対応ユーザ機器１０、１２には、それぞれのサービングノード１４、１６がＤ２Ｄ対応であるか否かを検証するための手段が提供される。そのような検証手段は、（アイドル状態と呼ばれることもある）アイドルモードなどの低アクティビティ状態と、接続モードとの双方において適用可能であるべきである。アイドルモードについての実施形態は任意の低アクティビティモードに適用可能であることが理解されるべきである。
【００５０】
また、Ｄ２Ｄ発見処理の一部として、第１のユーザ機器１０及び第２のユーザ機器１２が互いを発見する場合、これらユーザ機器は、それぞれのサービングネットワークノード１４、１６のＤ２Ｄケイパビリティについての情報も交換し得る。
【００５１】
さらに、第１のユーザ機器１０及び／又は第２のユーザ機器１２は、セル変更が可能である場合、Ｄ２Ｄ対応のネットワークノードへのセル変更、例えば、ハンドオーバ、接続再確立（connection  re-establishment）、セル再選択（cell  reselection）、別のセルへのリダイレクションを伴う接続解放（connection  release  with  redirection  to  another  cell）、プライマリコンポーネントキャリア変更（a  primary  component  carrier  change）又はマルチキャリアシステムにおけるプライマリセル変更（a  primary  cell  change  in  a  multi-carrier  system）を実行し得る。
【００５２】
幾つかの実施形態は、異なるモビリティシナリオにおいて実行されるセル変更に適用可能である。基本的に、２種類のモビリティシナリオが存在する。
【００５３】
第１のモビリティシナリオは、セル選択、セル再選択等といったアイドル状態モビリティ又は低アクティビティＲＲＣ状態モビリティである。第１のモビリティシナリオの、初期セル選択とも呼ばれるセル選択及びセル再選択は、主に、サービングセルの変更が実行済みとなるまでネットワークによる如何なる直接的な介入も無い、ユーザ機器の自律的機能である。これらのモビリティシナリオにおけるユーザ機器１０、１２の振る舞いは、ブロードキャストされる何らかのシステムパラメータ及びパフォーマンス要件の使用によって依然として制御され得る。低アクティビティ状態モビリティの例は、ＣＥＬＬ＿ＰＣＨ（Cell  Paging  CHannel）、ＵＲＡ＿ＰＣＨ（UMTS  Registration  Area  Paging  CHannel）、又はＵＭＴＳにおけるＣＥＬＬ＿ＦＡＣＨ（Cell  Forward  Access  CHannel）である。
【００５４】
第２のモビリティシナリオは、ハンドオーバ、ＲＲＣ接続再確立、リダイレクションを伴うＲＲＣ接続の解放等といった、アクティブ状態とも呼ばれるＲＲＣ接続状態モビリティである。第２のモビリティシナリオの接続状態モビリティ、例えば、ハンドオーバは、ネットワークによって制御される。ネットワークは、明示的なユーザ機器固有のコマンドによって、及びパフォーマンス要件の仕様によって、接続状態モビリティを制御し得る。
【００５５】
アイドルモードなどの低アクティビティモード及び接続モードの双方において、モビリティの決定は、典型的に、１つ以上のダウンリンク近傍セル測定結果に基づく。
【００５６】
図４は、通信ネットワーク１においてＤ２Ｄ通信をハンドリングするための、フローチャート及びシグナリングスキームを組み合わせた概略図である。通信ネットワーク１は、第１のユーザ機器１０と、当該第１のユーザ機器にサービスを提供する第１の無線ネットワークノード１４と、第２のユーザ機器１２と、Ｄ２Ｄ対応無線ネットワークノード１６、１８と、を含む。
【００５７】
２つのＤ２Ｄ対応ユーザ機器１０、１２間でＤ２Ｄ通信を確立するために、各Ｄ２Ｄ対応ユーザ機器１０、１２は、Ｄ２Ｄ対応ネットワークノード１６、１８によってサービスを提供されるべきである。Ｄ２Ｄ対応ユーザ機器１０、１２のうちの一方がＤ２Ｄ対応ネットワークノード１６、１８によってサービスを提供されない場合、当該Ｄ２Ｄ対応ユーザ機器１０、１２は、Ｄ２Ｄ対応ネットワークノード１６、１８へのセル変更を実行する。従って、各Ｄ２Ｄ対応ユーザ機器１０、１２は、そのサービングネットワークノード１４、１６のＤ２Ｄケイパビリティについての情報を必要とし、Ｄ２Ｄ通信が確立され得る前に、Ｄ２Ｄ対応ネットワークノード１６、１８へのセル変更を必要に応じて実行することが可能である必要がある。
【００５８】
本明細書において説明される幾つかの実施形態において、第１のユーザ機器１０は、Ｄ２Ｄケイパビリティを有しない第１のネットワークノード１４によってサービスを提供されており、第２のユーザ機器１２は、Ｄ２Ｄ対応ネットワークノード１６、１８によってサービスを提供されている。従って、本明細書において説明される幾つかの実施形態において、第１のユーザ機器１０は、第１のユーザ機器１０と第２のユーザ機器１２との間でＤ２Ｄ通信が確立される前に、セル変更を実行する。
【００５９】
ここで、通信ネットワーク１においてＤ２Ｄ通信をハンドリングするための動作が、図４を参照しつつ説明されるであろう。それら動作は、以下に述べられる順序で実行される必要はなく、任意の適切な順序で採用されてよい。さらに、複数の動作が組み合わせられてもよい。
【００６０】
動作４０１。第１のユーザ機器１０は、第１の無線ネットワークノード１４からの第１のＤ２Ｄケイパビリティ情報を要求し得る。第１のＤ２Ｄケイパビリティ情報は、第１のネットワークノード１４のＤ２Ｄケイパビリティ、即ち、第１のネットワークノード１４がＤ２Ｄ通信を可能化することができるか否かに関する。
【００６１】
幾つかの実施形態において、第１のユーザ機器１０によって、第１の無線ネットワークノード１４へメッセージが送信される。これは、Ｄ２Ｄケイパビリティ要求メッセージと呼ばれ得る。
【００６２】
上記メッセージは、ＲＲＣメッセージ、メディアアクセス制御（ＭＡＣ：Medium  Access  Control）メッセージ、又は物理層制御（Physical  Layer  Control）メッセージであってもよい。
【００６３】
例えば、第１のユーザ機器１０が接続モードにある場合、第１のユーザ機器１０は、その時点で第１のユーザ機器１０についてのサービングネットワークノードである第１のネットワークノード１４のＤ２Ｄケイパビリティについての情報を取得し得る。ユーザ機器１０は、適当なプロトコルを用いて、例えば、以下において動作４０１及び４０２で説明されるような、ＲＲＣ、ＭＡＣ又はＰＬＣメッセージであり得るＤ２Ｄケイパビリティ要求と同様のＤ２Ｄケイパビリティ情報応答メッセージを用いて、上記情報をシグナリング手段を介して取得し得る。
【００６４】
幾つかの実施形態において、アイドルモードにある場合、第１のユーザ機器１０は、当該第１のユーザ機器１０がその時点で滞在している第１のネットワークノード１４のＤ２Ｄケイパビリティについての情報を取得し得る。
【００６５】
幾つかの実施形態において、第１のネットワークノード１４は、当該ネットワークノードのＤ２Ｄケイパビリティをブロードキャストメッセージ内でブロードキャストし、第１のユーザ機器１０は、当該ブロードキャストメッセージをデコードする。ブロードキャストメッセージは、マスタ情報ブロック（ＭＩＢ：Master  Information  Block）メッセージ、又はシステム情報ブロック（ＳＩＢ：System  Information  Block）メッセージ、又はこれらの組み合わせにおいてシグナリングされてもよい。
【００６６】
第１のユーザ機器１０は、ブロードキャスト期間中に如何なるＤ２Ｄケイパビリティ情報も受信されないことによって、ネットワークノードのＤ２Ｄケイパビリティの欠如を識別してもよい。代替的に、第１のユーザ機器１０は、ネットワークノード１４によってブロードキャストされるネットワークノードＩＤ（identity）を、当該ネットワークノードを非Ｄ２Ｄ対応のネットワークノードとして識別するＩＤとして認識してもよい。
【００６７】
動作４０２。第１のユーザ機器１０からの要求を受信した第１のネットワークノード１４は、第１のＤ２Ｄケイパビリティ情報を第１のユーザ機器１０へ送信し得る。
【００６８】
幾つかの実施形態において、第１のネットワークノード１４は、当該ネットワークノードのＤ２Ｄケイパビリティ応答メッセージ内に情報エレメントを含めることによって、ユーザ機器１０によるＤ２Ｄケイパビリティ要求メッセージに応答する。
【００６９】
上記応答メッセージは、ＲＲＣ応答メッセージ；ＭＡＣ応答メッセージ；又はＰＬＣ応答メッセージであり得る。
【００７０】
アイドルモードにある第１のユーザ機器１０のために、第１のネットワークノード１４は、当該ネットワークノードのＤ２Ｄケイパビリティ情報をシステム情報の一部としてブロードキャストしてもよい。例えば、Ｄ２Ｄケイパビリティ情報は、システム情報の一部として１ビット又は２ビットの形式でブロードキャストされてもよい。幾つかの実施形態において、Ｄ２Ｄケイパビリティ情報は、ＭＩＢ又はシステム情報の適切なＳＩＢにおいてブロードキャストされてもよい。代替的に、Ｄ２Ｄケイパビリティ情報は、別個のブロードキャストチャネルにおいて低い周期性でブロードキャストされてもよい。
【００７１】
サービングネットワークノード、例えば、第１のネットワークノード１４は、当該ネットワークノードのＤ２Ｄケイパビリティ情報を、ユーザ機器、例えば、第１のユーザ機器１０へ、例えば、初期セットアップ時又はユーザ機器１０がセルに進入し若しくはアイドルモードから接続モードに状態を変更する際に能動的に送信してもよい。
【００７２】
サービングネットワークノード、例えば、第１のネットワークノード１４は、セル識別子、例えば、物理セル識別子（ＰＣＩ：Physical  Cell  Identifier）及び／又はセルグローバルＩＤ（ＣＧＩ：Cell  Global  Identity）、並びにＤ２Ｄ通信をサポートすることが可能な１つ以上の近傍ネットワークノード１６、１８の他の関連する情報もシグナリングし得る。近傍ネットワークノードのＤ２Ｄケイパビリティ情報は、アイドルモードにあるユーザ機器、例えば第１のユーザ機器１０へ、例えばブロードキャストメッセージにおいて、又は、接続モードにあるユーザ機器、例えば第１のユーザ機器１０へ、例えば固有のシグナリングメッセージにおいてシグナリングされてもよい。
【００７３】
Ｄ２Ｄ対応の１つ以上の近傍ネットワークノード１６、１８のセル識別子及び考え得る他の情報、例えば、ＰＣＩ、ＣＧＩ、基地局（ＢＳ）ＩＰアドレス、ＰＬＭＮ  ＩＤ（Public  Land  Mobile  Network  Identity）などをシグナリングするために、第１のネットワークノード１４は、この情報を以下に説明されるように取得する。
【００７４】
幾つかの第１の代替的な実施形態によれば、上記情報は、第１のネットワークノード１４によって、当該ネットワークノードのピアネットワークノードから、例えば、第１のネットワークノード１４とそのピアネットワークノードとの間のＸ２通信インタフェースを用いる通信を介して、取得される。
【００７５】
前述されたように、中央ネットワークノード２０、例えば、ＯＳＳ、ＳＯＮ、中央ノード、ネットワークコントローラ等は、各ネットワークノード、例えば、各無線ネットワークノードに、当該ネットワークノードのＤ２Ｄ対応の近傍ノードとそれぞれの関連付けられるセル識別子とを通知し得る。ネットワークノード２０、例えば、ＯＳＳは、標準化されたインタフェース、いわゆるＯ＆Ｍインタフェース及びＯ＆Ｍメッセージを用いて情報を無線ネットワークノードへ送信することによって、各無線ネットワークノードに通知し得る。
【００７６】
幾つかの他の代替的な実施形態によれば、第１のネットワークノード１４は、１つ以上のユーザ機器１０、１２に、１つ以上の近傍ネットワークノード１６、１８のシステム情報を読み取って当該近傍ネットワークノードがＤ２Ｄ対応であるか否かを判定すること、及び取得された結果、例えば、当該近傍ネットワークノードがＤ２Ｄ対応であるか否かを、サービングネットワークノード、例えば、第１のネットワークノード１４に報告すること、を要求する。
【００７７】
動作４０３。第１のユーザ機器１０は、動作４０２において第１のネットワークノード１４から送信される第１のＤ２Ｄケイパビリティ情報を受信し得る。
【００７８】
動作４０４。第１のユーザ機器１０は、追加的な第１のＤ２Ｄケイパビリティ情報を第１の無線ネットワークノード１４に要求し得る。
【００７９】
追加的な第１のＤ２Ｄケイパビリティ情報は、第１のネットワークノード１４の追加的な第１のＤ２Ｄケイパビリティ情報に関連し得る。さらに、追加的な第１のＤ２Ｄケイパビリティ情報は、第１のネットワークノード１４に関連する、より詳細なＤ２Ｄケイパビリティ情報、例えば、サポートされるＤ２Ｄ関連の測定結果、Ｄ２Ｄ通信についてのサポートされる帯域、Ｄ２Ｄ通信をサポートするＲＡＴ（例えば、ＬＴＥ  ＦＤＤ、ＬＴＥ  ＴＤＤ、又はこれらの双方）、Ｄ２Ｄ通信についてサポートされる帯域幅、Ｄ２Ｄ通信についてのサポートされるアンテナモード、特定のアルゴリズムサポート、例えば、ネットワークノードがＤ２Ｄリンクについてのモード選択、電力制御及びスケジューリングを行うことができるか、を含み得る。これらのケイパビリティのうちの幾つかは、予め定義されてもよく、その場合において、無線ネットワークノードは、限定された情報を送信することによって、当該ネットワークノードがそのようなケイパビリティをサポートするか否かのみを示し得る。例えば、Ｄ２Ｄ対応の無線ネットワークがＤ２Ｄ通信について５ＭＨｚ及び１０ＭＨｚの帯域幅のみをサポートし得ることが予め定義されてもよい。さらに、通常の通信について２０ＭＨｚの帯域幅を使用可能なあるＤ２Ｄ対応のネットワークノードがＤ２Ｄ通信については５ＭＨｚのみをサポートすることが仮定されてもよい。そのため、「０」及び「１」がそれぞれ５ＭＨｚ及び１０ＭＨｚのＤ２Ｄ帯域幅に対応すると仮定すると、無線ネットワークノードは、当該ネットワークノードが５ＭＨｚをサポートすることを示すバイナリの「０」をシグナリングし得る。
【００８０】
幾つかの実施形態において、接続モードにある第１のユーザ機器１０は、追加的な第１のＤ２Ｄケイパビリティ情報を第１の無線ネットワークノード１４に要求し得る。
【００８１】
幾つかの実施形態において、追加的な第１のＤ２Ｄケイパビリティ情報を含むメッセージは、第１のユーザ機器１０によって第１の無線ネットワークノード１４へ送信される。これは、追加的なＤ２Ｄケイパビリティ要求メッセージと呼ばれ得る。当該メッセージは、ＲＲＣメッセージ；ＭＡＣメッセージ；又はＰＬＣメッセージであり得る。
【００８２】
動作４０５。第１のユーザ機器１０からの要求を受信する第１のネットワークノード１４は、追加的な第１のＤ２Ｄケイパビリティ情報を第１のユーザ機器１０へ送信し得る。
【００８３】
第１のネットワークノード１４は、当該ネットワークノードの追加的なＤ２Ｄケイパビリティ応答メッセージ内に１つ以上の情報エレメントを含めることによって、ユーザ機器１０による追加的なＤ２Ｄケイパビリティ要求に応答し得る。
【００８４】
上記情報エレメントは、Ｄ２Ｄ電力制御ケイパビリティであってもよく、当該情報エレメントは、Ｄ２Ｄケイパビリティ無し（No  D2D  capability）、又はＤ２Ｄ限定ケイパビリティ（Limited  D2D  Capability）、又はＤ２Ｄ完全ケイパビリティ（Full  D2D  Capability）を含み得る。Ｄ２Ｄケイパビリティ無しの場合において、ネットワークノード（例えば、ｅＮｏｄｅＢ）は、Ｄ２Ｄ電力制御アルゴリズムに参加しないことがあり得る。Ｄ２Ｄ限定ケイパビリティの場合において、ネットワークノード（例えば、ｅＮｏｄｅＢ）は、最大のＤ２Ｄ送信電力を特定し得る。また、Ｄ２Ｄ完全ケイパビリティの場合において、ネットワークノード（例えば、ｅＮｏｄｅＢ）は、正確なＤ２Ｄ送信電力を設定し得る。
【００８５】
情報エレメントの意味、例えば、Ｄ２Ｄケイパビリティ無し又はＤ２Ｄ限定ケイパビリティ又はＤ２Ｄ完全ケイパビリティは、予め定義されてもよい。この場合においては、識別子のみがユーザ機器へシグナリングされ得る。
【００８６】
上記応答メッセージは、ＲＲＣ応答メッセージ；ＭＡＣ応答メッセージ；又はＰＬＣ応答メッセージであり得る。
【００８７】
追加的なＤ２Ｄケイパビリティ情報は、第１のネットワークノード１４の追加的なＤ２Ｄケイパビリティ情報に関連し得る。
【００８８】
幾つかの実施形態において、追加的なＤ２Ｄケイパビリティ情報は、第１のネットワークノード１４に隣接して位置する近傍ネットワークノード１８のＤ２Ｄケイパビリティに、又は第２のユーザ機器１２にサービスを提供するネットワークノードに関連し得る。従って、追加的なＤ２Ｄケイパビリティ情報は、近傍ネットワークノード１８がＤ２Ｄ通信を可能化し及び支援することが可能であるか否かに関連する。
【００８９】
動作４０６。第１のユーザ機器１０は、第１のネットワークノード１４から送信される追加的な第１のＤ２Ｄケイパビリティ情報を受信し得る。
【００９０】
動作４０７。第１のユーザ機器１０は、Ｄ２Ｄ通信の相手となるべき第２のユーザ機器１２を認識する。
【００９１】
Ｄ２Ｄ通信を確立する際、Ｂｌｕｅｔｏｏｔｈ（登録商標）によって用いられるマスタ／スレーブマッチング手続き又はＦｌａｓｈｌｉｎｑ（登録商標）システムによって採用されるいわゆる表現マッチングといったピア発見技術が用いられ得る。Ｂｌｕｅｔｏｏｔｈ（登録商標）などのアドホック技術は、インフラストラクチャノードからの如何なるサポートも必要としない、洗練されたピア発見及び検出メカニズムを有する一方で、ネットワーク支援型Ｄ２Ｄピア発見スキームは、セルラインフラストラクチャの存在を利用し得る。例えば、ネットワーク支援型Ｄ２Ｄ通信において、通信ネットワーク、即ち、通信ネットワークに含まれるネットワークノードは、ユーザ機器に、当該ユーザ機器がどの周波数リソース及び時間リソースでビーコン信号を送信し及びビーコン信号をスキャンすべきかという情報を提供し得る。これは、ユーザ機器がアドホック技術におけるよりも速く互いを発見することを補助する。
【００９２】
ネットワーク支援型Ｄ２Ｄ通信の幾つかの実施形態において、Ｄ２Ｄ対応ユーザ機器１０、１２が互いにセルラモードで通信を開始することも考えられ得る。これは、上記ユーザ機器がセルラインフラストラクチャを通じて互いに通信を開始することを意味する。ユーザ機器１０、１２が互いに近接している場合、例えば、これらは同じネットワークノード、例えば、Ｄ２Ｄ対応ネットワークノード１６によってサービスを提供され、通信ネットワークは、レガシーの技法を用いて、ユーザ機器をＤ２Ｄ通信の候補として識別し得る。通信ネットワークは、Ｄ２Ｄユーザ機器に、ビーコン信号を送信し及び／又はビーコン信号を受信して、Ｄ２Ｄチャネル品質を判定するように要求し得る。
【００９３】
ユーザ機器１０、１２それ自体によって為されるピア発見は、動作５０４として以下により詳細に説明されるであろう。通信ネットワーク１によって為されるピア発見は、動作７０２として以下により詳細に説明されるであろう。
【００９４】
動作４０８。第１のユーザ機器１０は、（動作４０３において受信された）第１のＤ２Ｄケイパビリティ情報を第２のユーザ機器１２へ送信し得る。
【００９５】
幾つかの実施形態において、第２のユーザ機器１２は、第１のＤ２Ｄケイパビリティ情報を、当該第２のユーザ機器１２にサービスを提供する第２のネットワークノード１６へ送信する。
【００９６】
動作４０９。第２のユーザ機器１２は、第２のＤ２Ｄケイパビリティ情報を第１のユーザ機器１０へ送信し得る。第２のＤ２Ｄケイパビリティ情報は、第２のユーザ機器１２にサービスを提供するＤ２Ｄ対応無線ネットワークノード１６、１８のＤ２Ｄケイパビリティに関連する。第２のＤ２Ｄケイパビリティ情報を第１のユーザ機器１０へ送信することによって、第１のユーザ機器１０は、第２のユーザ機器１２がＤ２Ｄ対応ネットワークノード１６、１８によってサービスを提供されることを知得するであろう。
【００９７】
動作４０９’。動作４０９の代替的な動作として、第１のネットワークノード１４が第２のＤ２Ｄケイパビリティ情報を第１のユーザ機器１０へ送信してもよい。既述されたように、第２のＤ２Ｄケイパビリティ情報は、第２のユーザ機器１２にサービスを提供するＤ２Ｄ対応無線ネットワークノード１６、１８のＤ２Ｄケイパビリティに関連する。
【００９８】
動作４１０。第１のユーザ機器１０は、Ｄ２Ｄ対応無線ネットワークノード１６、１８に関連する第２のＤ２Ｄケイパビリティ情報を受信し得る。
【００９９】
動作４１１。第１のユーザ機器１０は、第１の無線ネットワークノード１４のＤ２Ｄケイパビリティ、及びＤ２Ｄ対応無線ネットワークノード１６、１８のＤ２Ｄケイパビリティのそれぞれを判定する。つまり、第１のユーザ機器１０は、第１の無線ネットワークノード１４がＤ２Ｄ対応であるか否か、及び無線ネットワークノード１６、１８がＤ２Ｄ対応であるか否かを判定する。例えば、第１のネットワークノード１４がＤ２Ｄ対応ではない場合、第１のユーザ機器１０は、以下の動作４１４において説明されるように、Ｄ２Ｄ対応ネットワークノード１６、１８へのセル変更を実行し得る。
【０１００】
動作４１２。第１のユーザ機器１０が第２のＤ２Ｄケイパビリティ情報を第２のユーザ機器１２から受信した場合、第１のユーザ機器１０は、第２のＤ２Ｄケイパビリティ情報を第１のネットワークノード１４へ送信し得る。
【０１０１】
動作４１３。第１のネットワークノード１４は、第２のＤ２Ｄケイパビリティ情報を第１のユーザ機器１０から受信し得る。
【０１０２】
動作４１４。第１の無線ネットワークノード１４がＤ２Ｄケイパビリティを有しない場合、第１のユーザ機器１０は、第１の無線ネットワークノード１４からＤ２Ｄ対応無線ネットワークノード１６、１８へのセル変更を実行する。
【０１０３】
セル変更は互いをＤ２Ｄ通信についての候補として検出するユーザ機器によってトリガされ得ることが理解されるべきである。代替的に又は追加的に、セル変更は、ネットワークノードがサービスを提供しているユーザ機器とのＤ２Ｄ通信についての候補としてユーザ機器を検出する当該ネットワークノードによってトリガされてもよい。
【０１０４】
動作４１５。第２のユーザ機器１２にサービスを提供するＤ２Ｄ対応無線ネットワークノード１６、１８は、第２のユーザ機器１２と第１のユーザ機器１０との間のＤ２Ｄ通信についてリソースを割り当て得る。
【０１０５】
動作４１６。第２のユーザ機器１２にサービスを提供するＤ２Ｄ対応無線ネットワークノード１６、１８は、割り当てられたリソースについての情報を第２のユーザ機器１２及び第１のユーザ機器１０へ送信し得る。
【０１０６】
動作４１７。第２のユーザ機器１２がＤ２Ｄ対応無線ネットワークノード１６によってサービスを提供される場合に、第１のユーザ機器１０と第２のユーザ機器１２との間でＤ２Ｄ通信が確立される。
【０１０７】
幾つかの動作は単一の動作へと組み合わされてもよいことが理解されるべきである。例えば、動作４０３を動作４０２と組み合わせて単一の動作としてもよく、動作４１０を動作４０９又は動作４０９’と組み合わせて単一の動作としてもよく、動作４１３を動作４１２と組み合わせて単一の動作としてもよい。
【０１０８】
図５は、通信ネットワーク１においてＤ２Ｄ通信をハンドリングするための、第１のユーザ機器における方法の実施形態の概略フローチャートである。前述されたように、通信ネットワーク１は、第１のユーザ機器１０と、当該第１のユーザ機器１０にサービスを提供する第１の無線ネットワークノード１４と、第２のユーザ機器１２と、Ｄ２Ｄ対応無線ネットワークノード１６、１８と、を含む。動作は、以下に述べられる順序で実行される必要はなく、任意の適切な順序で為されてよい。また、複数の動作が組み合わせられてもよい。
【０１０９】
動作５００。第１のユーザ機器１０は、第１のＤ２Ｄケイパビリティ情報を、当該第１のユーザ機器１０にサービスを提供する第１の無線ネットワークノード１４に要求し得る。
【０１１０】
これは、第１の無線ネットワークノード１４へメッセージを送信することによって実行され得る。これは、Ｄ２Ｄケイパビリティ要求メッセージと呼ばれ得る。上記メッセージは、ＲＲＣメッセージ；ＭＡＣメッセージ；又はＰＬＣメッセージであり得る。
【０１１１】
第１のＤ２Ｄケイパビリティ情報は、第１のネットワークノード１４のＤ２Ｄケイパビリティ、即ち、第１のネットワークノード１４がＤ２Ｄ通信を可能化することができるか否かに関する。
【０１１２】
幾つかの実施形態によれば、第１のユーザ機器１０は、接続モードにある場合、その時点のサービングネットワークノードである第１のネットワークノード１４のＤ２Ｄケイパビリティについての情報を取得する。これは、上記動作４０１として、より詳細に説明済みである。
【０１１３】
幾つかの実施形態において、第１のユーザ機器１０は、アイドルモードにある場合、当該第１のユーザ機器１０がその時点で滞在している第１のネットワークノード１４のＤ２Ｄケイパビリティについての情報を取得し得る。これは、上記動作４０１としてより詳細に説明済みである。
【０１１４】
動作５０１。第１のユーザ機器１０は、第１のＤ２Ｄケイパビリティ情報を第１の無線ネットワークノード１４から受信し得る。第１のＤ２Ｄケイパビリティ情報は、第１の無線ネットワークノード１４のＤ２Ｄケイパビリティ又は近傍の無線ネットワークノード１８のＤ２Ｄケイパビリティに関連する。
【０１１５】
さらに、第１のユーザ機器１０は、以下の動作５０２において要求される追加的なＤ２Ｄケイパビリティ情報を含む応答メッセージを受信してもよい。当該応答メッセージは、ＲＲＣメッセージ；ＭＡＣメッセージ；又はＰＬＣメッセージであり得る。
【０１１６】
動作５０２。第１のユーザ機器１０は、追加的な第１のＤ２Ｄケイパビリティ情報を第１の無線ネットワークノード１４に要求し得る。当該追加的な第１のＤ２Ｄケイパビリティ情報は、動作５０１において受信されてもよい。
【０１１７】
第１のユーザ機器１０は、要求を第１の無線ネットワークノード１４へ送信することによって、追加的な第１のＤ２Ｄケイパビリティ情報を第１の無線ネットワークノード１４に要求し得る。
【０１１８】
上記要求は、第１のユーザ機器１０によって第１の無線ネットワークノード１４へメッセージ内で送信され得る。これは、追加的なＤ２Ｄケイパビリティ要求メッセージと呼ばれ得る。
【０１１９】
上記メッセージは、ＲＲＣメッセージ；ＭＡＣメッセージ；又はＰＬＣメッセージであり得る。
【０１２０】
動作５０３。第１のユーザ機器１０は、Ｄ２Ｄ通信の相手となるべき第２のユーザ機器１２を認識する。第２のユーザ機器１２は、Ｄ２Ｄ通信ケイパビリティを有するＤ２Ｄ対応無線ネットワークノード１６、１８によってサービスを提供されている。
【０１２１】
動作５０４。第１のユーザ機器１０は、第２のユーザ機器１２からビーコン信号を受信し得る。当該ビーコン信号は、第２のＤ２Ｄケイパビリティ情報を含む。
【０１２２】
ビーコン信号という用語は、ここで使用される場合、制限された情報コンテンツを有する継続的な又は周期的な無線信号であって、受信側機器にとって既知の特定の無線周波数上で送信される信号を意味する。
【０１２３】
上記情報は、例えば、送信側機器のＩＤ（identification）若しくはロケーションを含み、又は当該送信側機器が提供することが可能なサービス若しくはサービスカテゴリのＩＤをエンコードし得る。
【０１２４】
幾つかの実施形態によれば、ビーコン信号は、ユーザ機器間で交換される。ビーコン信号は、各ユーザ機器の現在のサービングネットワークノードのＤ２Ｄケイパビリティについての情報をさらに含み得る。
【０１２５】
幾つかの実施形態において、ユーザ機器１０、１２がビーコン信号をブロードキャストする際、ユーザ機器１０、１２にその時点でサービスを提供しているネットワークノード１４、１６のＤ２Ｄケイパビリティについての情報を含み得る。この情報は、動作４０２において説明された、ネットワークノードによってブロードキャストされる１ビット又は２ビットと同一であり得る。代替的に、この情報は、ユーザ機器１０、１２がそのサービングネットワークノード１４、１６から取得したＤ２Ｄケイパビリティ情報の一部であってもよい。
【０１２６】
第１のユーザ機器１０によって送信されるビーコン信号をリッスンすることによって、第２のユーザ機器１２は、第１のユーザ機器１０にサービスを提供する第１のネットワークノード１４のＤ２Ｄケイパビリティについての情報を取得する。第１のネットワークノード１４がＤ２Ｄ通信をサポートしないことを第２のユーザ機器１２が学習する場合、第２のユーザ機器１２は、当該第２のユーザ機器１２にサービスを提供する第２のネットワークノード１６に通知し得る。従って、第２のネットワークノード１４は、第１の無線ネットワークノード１４のＤ２Ｄケイパビリティの知識を有することになる。
【０１２７】
動作５０５。第１のユーザ機器１０は、第１のＤ２Ｄケイパビリティ情報を第２のユーザ機器１２へ送信し得る。
【０１２８】
動作５０６。第１のユーザ機器１０は、Ｄ２Ｄ対応無線ネットワークノード１６、１８に関連する第２のＤ２Ｄケイパビリティ情報を受信し得る。第２のＤ２Ｄケイパビリティ情報は、第２のユーザ機器１２から又は第１の無線ネットワークノード１４から受信され得る。
【０１２９】
第２のＤ２Ｄケイパビリティ情報は、第２のユーザ機器１２にサービスを提供する第２のネットワークノード１６に関連し得る。代替的に、第２のＤ２Ｄケイパビリティ情報は、近傍の無線ネットワークノード１８に関連し得る。当該近傍の無線ネットワークノード１８は、第１の無線ネットワークノード１４及び／又はＤ２Ｄ対応無線ネットワークノード１６の近傍の無線ネットワークノード１８である。
【０１３０】
第１のユーザ機器１０は、Ｄ２Ｄケイパビリティ情報を含むメッセージを取得することによって、第１のＤ２Ｄケイパビリティ情報又は第２のＤ２Ｄケイパビリティ情報を受信し得る。当該メッセージは、制御チャネル上で受信される。これは、動作５０１及び５０６に関連する。
【０１３１】
代替的に又は追加的に、第１のユーザ機器１０は、Ｄ２Ｄケイパビリティを表すインジケータを取得することによって、第１のＤ２Ｄケイパビリティ情報又は第２のＤ２Ｄケイパビリティ情報を受信してもよい。当該インジケータは、制御チャネル上で受信される。これは、動作５０１及び５０６に関連する。
【０１３２】
代替的に又は追加的に、第１のユーザ機器１０は、無線ネットワークノード識別子を取得することによって、第１のＤ２Ｄケイパビリティ情報又は第２のＤ２Ｄケイパビリティ情報を受信してもよい。当該識別子は、Ｄ２Ｄ対応無線ネットワークノードについて用いられる識別子の予め定義されるリストに属する。これは、動作５０１及び５０６に関連する。
【０１３３】
動作５０７。第１のユーザ機器１０は、第１の無線ネットワークノード１４のＤ２Ｄケイパビリティ及びＤ２Ｄ対応無線ネットワークノード１６、１８のＤ２Ｄケイパビリティのそれぞれを判定し得る。Ｄ２Ｄケイパビリティは、動作５０１及び／又は動作５０６において受信されるＤ２Ｄケイパビリティ情報に基づいて、判定され得る。
【０１３４】
動作５０８。第１のユーザ機器１０は、第２のＤ２Ｄケイパビリティ情報を第１の無線ネットワークノード１４へ送信し得る。
【０１３５】
動作５０９。第１の無線ネットワークノード１４がＤ２Ｄケイパビリティを有しない場合、第１のユーザ機器１０は、第１の無線ネットワークノード１４からＤ２Ｄ対応無線ネットワークノード１６、１８へのセル変更を実行する。
【０１３６】
第１のユーザ機器１０は、当該第１のユーザ機器１０にサービスを提供する第１の無線ネットワークノード１４からメッセージを受信すると、セル変更を実行し得る。当該メッセージは、第１のユーザ機器１０に、Ｄ２Ｄ対応無線ネットワークノード１６、１８へのセル変更を実行することを要求する。上記メッセージは、Ｄ２Ｄ対応無線ネットワークノード１６、１８から第１の無線ネットワークノード１４を介して透過的なコンテナ内で受信され得る。
【０１３７】
第１のユーザ機器１０は、第１の無線ネットワークノード１４からＤ２Ｄ対応無線ネットワークノード１６、１８へのセル変更を自律的に実行してもよい。
【０１３８】
幾つかの実施形態において、第１のユーザ機器１４が１つ以上のブロードキャストメッセージからＤ２Ｄ対応無線ネットワークノード１６、１８について学習する場合、当該第１のユーザ機器は、自律的なセル変更をトリガしてもよい。
【０１３９】
第１のユーザ機器１４は、＜セルＩＤ、Ｄ２Ｄケイパビリティ＞のペアを含むテーブルを維持してもよい。それによって、第１のユーザ機器１４は、セルＩＤから、当該セルＩＤに関連付けられるネットワークノードがＤ２Ｄ対応であるか否かを知得し得る。セルＩＤとＤ２Ｄケイパビリティとの間のマッピングは、ネットワークによってシグナリングされてもよく、又はセルＩＤとＤ２Ｄケイパビリティとの間に予め定義されたマッピングが存在していてもよい。シグナリングされたテーブルの場合において、第１のユーザ機器１４は、当該セルにおいてアクティブモードにある場合はいつでも、又はアイドルモードにある場合にはブロードキャストメッセージからＤ２Ｄ情報を受信する際に、このテーブルを更新してもよい。
【０１４０】
セル変更は、ハンドオーバ、接続再確立、セル再選択、別のセルへのリダイレクションを伴う接続解放、プライマリコンポーネントキャリア変更、マルチキャリアシステムにおけるプライマリセル変更、又は、マルチポイント送信及び／若しくは受信通信システムにおけるプライマリ無線リンク変更若しくはサービング無線リンク変更であり得る。
【０１４１】
ハンドオーバという用語は、ここで使用される場合、進行中の呼又はデータセッションをコアネットワークに接続される１つのチャネルから別のチャネルへ移送することを意味する。ハンドオーバは、ユーザ機器が接続モードにあり、且つ無線リソース制御（ＲＲＣ：Radio  Resource  Control）接続がユーザ機器と通信ネットワークとの間に存在する場合の基本的なモビリティ手続きをさらに意味する。ハンドオーバは、通信ネットワークに継続的にレポートされる、ユーザ機器の測定結果に基づく。ユーザ機器の測定結果ベースのハンドオーバ手続きは、最良のカバレッジを提供するセルにユーザ機器が常に接続されるように、及びユーザ機器がＰＬＭＮのカバレッジエリア内で移動している間に、サービング基地局の変更がロスレスな（シームレスな）手法で為されるように、設計される。
【０１４２】
接続再確立という用語は、ここで使用される場合、サービング無線リンクの無線リンク障害、ハンドオーバ障害、及び／又は無線リンク制御（ＲＬＣ：radio  link  control）の修復不可能なエラーに応じて、ユーザ機器が新たなセルへの接続を再確立する手続きを意味する。上記新たなセルは、最強のセル、即ち、別のセル又は他の複数のセルの無線カバレッジ及び／又は無線リンクと比較して最強の無線カバレッジ及び／又は無線リンクを有するセルであり得る。
【０１４３】
セル再選択という用語は、ここで使用される場合、ＲＲＣ  ＩＤＬＥ（又は、一言で言えば、アイドル）モードにおけるユーザ機器のモビリティ手続きを意味し、当該手続きにおいて、ユーザ機器は、当該ユーザ機器が滞在するセル、即ち、当該ユーザ機器がシステムブロードキャスト情報及びページングを受信するセルを継続的に選択する。セル再選択手続きは、信号強度のような優勢な無線状況及びキャリア周波数に関連付けられる優先度を考慮し得る。
【０１４４】
ＬＴＥなどの幾つかのセルラ技術は、ユーザ機器が接続の解放時に別の周波数又はＲＡＴへリダイレクションすることを提供し、これは、別のセルへのリダイレクションを伴う接続解放と呼ばれる。当該別の周波数又はＲＡＴは、接続解放後にアイドル状態に移行する際に、ユーザ機器によってキャンピングについての使用のために用いられ得る。別のセル（即ち、周波数）又はＲＡＴへのＵＥのリダイレクションは、ユーザ機器のケイパビリティ及び場合によりユーザプリファレンスを考慮する。
【０１４５】
キャリアアグリゲーションを用いる場合、ユーザ機器は、プライマリコンポーネントキャリアと呼ばれる１つの（主な）コンポーネントキャリアと、当該ユーザ機器１０が非アクセス層モビリティ情報を受信し及びセキュリティアソシエーションを維持する対応するプライマリサービングセルと、に関連付けられる。ユーザ機器１０が、このプライマリセル及び対応するプライマリコンポーネントキャリアを変更する場合、これは、プライマリコンポーネントキャリア変更又はプライマリセル変更と呼ばれる。これは、マルチキャリアシステムにおけるプライマリセル変更とも呼ばれ得る。
【０１４６】
マルチポイント送信及び／又は受信通信システムにおけるプライマリ無線リンク又はサービング無線リンクの変更という用語は、ここで使用される場合、ユーザ機器が協調マルチポイント（ＣｏＭＰ：coordinated  multipoint）送信及び／又は受信に従事する間、サービングセルとして動作しているセルを変更することを意味する。つまり、例えば、ユーザ機器が複数のセルから協調送信を受信する場合、ユーザ機器は、モビリティ状態の観点から、サービングセルと呼ばれる１つのセルに関連付けられる。ユーザ機器が、モビリティ又は他の理由に起因して、このサービングセルを変更する場合、当該変更は、プライマリ無線セル（リンク）又はサービング無線セル（リンク）の変更と呼ばれる。
【０１４７】
セル変更は互いをＤ２Ｄ通信についての候補として検出するユーザ機器１０、１２によってトリガされ得ることが理解されるべきである。代替的に又は追加的に、セル変更は、ネットワークノード１４、１６、１８がサービスを提供しているユーザ機器１０、１２とのＤ２Ｄ通信についての候補としてユーザ機器１０、１２を検出するネットワークノード１４、１６、１８によってトリガされてもよい。
【０１４８】
プライマリ無線リンク又はサービング無線リンクの変更という用語は、ここで使用される場合、マルチポイント送信及び／又は受信通信システムに属するサービング無線リンクの変更を意味する。これは、協調マルチポイント送受信（ＣｏＭＰ）、分散アンテナシステム（ＤＡＳ：Distributed  Antenna  Systems）、無線リモートヘッド（ＲＲＨ：Radio  Remote  Head）、無線リモートユニット（ＲＲＵ：Radio  Remote  Unit）等と呼ばれることもある。マルチポイントシステムにおいて、ユーザ機器は、同じ地理的サイトの同じ場所に位置し又は同じ場所に位置しないこともある複数のセルから動作する１つよりも多いリンクからデータを受信し及び／又は当該１つよりも多いリンクへ向けてデータを送信する。上記複数のセルは、同じキャリア又は異なるキャリア上で動作し得る。当該キャリアは、同じ周波数帯域又は異なる周波数帯域に属し得る。マルチポイント送信及び／又は受信通信システムは、少なくとも１つのプライマリ無線リンクと、少なくとも１つのセカンダリ無線リンクと、から構成される。当該プライマリリンクは、マルチポイント送信及び／又は受信通信システムとユーザ機器との間の通信を維持するための基本制御シグナリングを少なくとも含む。
【０１４９】
幾つかの実施形態において、第１のネットワークノード１４がＤ２Ｄ対応であることを第２のネットワークノード１６が学習し又は判定した場合、動作５１０を参照しつつ以下に説明されるように、第１及び第２のネットワークノード１４、１６は、Ｄ２Ｄ無線ベアラセットアップなどの既知の技法を用いて、第１のユーザ機器１０と第２のユーザ機器１２との間にＤ２Ｄリンクを確立し始める。
【０１５０】
ただし、幾つかの実施形態において、第１のネットワークノード１４がＤ２Ｄ通信をサポートしないことを第２のネットワークノード１６が学習し又は判定した場合、第２のネットワークノード１６は、Ｄ２Ｄ対応ネットワークノード１６、１８への第１のユーザ機器１０のハンドオーバを可能にする手続きを開始する。代替的に、第１のユーザ機器１０は、セル変更を自律的に開始してもよい。
【０１５１】
従って、以下の例において説明される様々な代替案が存在し得る。
【０１５２】
第１の例の幾つかの実施形態において、無線状況がそのようなハンドオーバ又はリダイレクションを可能とする場合、第２のネットワークノード１６は、第１のネットワークノード１４に、ハンドオーバを、又は、Ｄ２Ｄ対応ネットワークノード１６、１８への第１のユーザ機器１０のリダイレクションを伴うＲＲＣ接続解放などの任意の適切な手続きを実行することを要求する。
【０１５３】
第２の例の幾つかの実施形態において、第２のネットワークノード１６は、メッセージ、例えば、ＲＲＣカプセル化メッセージを、当該ネットワークノードのサービングネットワークノード、即ち、第１のネットワークノード１４を介して第１のユーザ機器１０へ透過的なコンテナ内で送信する。従って、第１のネットワークノード１４によって受信される上記カプセル化メッセージは、第１のネットワークノード１４によって第１のユーザ機器１０へ透過的に転送される。上記メッセージは、第２のネットワークノード１６又はＤ２Ｄ対応の近傍ネットワークノード１８といったＤ２Ｄ対応ネットワークノード１６、１８へのＲＲＣ接続再確立を実行するように第１のユーザ機器１０に要求する。これに応じて、（最新技術による測定結果、例えば、リファレンス信号受信電力（ＲＳＲＰ：reference  signal  received  power）及び／又はリファレンス信号受信品質（ＲＳＲＱ：reference  signal  received  quality）に基づく）無線状況が（利用可能な送信電力バジェットを用いて、及びビットエラーレート（ＢＥＲ）要件を満たしつつ）当該セルへの接続再確立を可能とするものである場合、第１のユーザ機器１０は、サービングネットワークノード１４との既存のリンクを放棄し、及びＤ２Ｄ対応ネットワークノード１６、１８との接続再確立を実行することを試行する。
【０１５４】
第３の例の幾つかの実施形態において、第１のユーザ機器１０のサービングネットワークノード１４がＤ２Ｄ対応ではない場合、及び第１のユーザ機器１０が第２のユーザ機器１２とのＤ２Ｄ通信リンクを確立することを望む場合、第１のユーザ機器１０は、Ｄ２Ｄ対応ネットワークノード１６、１８へのＲＲＣ接続再確立を自律的に開始し得る。Ｄ２Ｄ対応ネットワークノード１６、ｌ８の無線状況も許容可能な限度内にある場合、例えば、許容可能なＲＳＲＰ測定値、利用可能な送信電力バジェット内であって、ビットエラーレート（ＢＥＲ）要件を満たす場合、第１のユーザ機器１０は、Ｄ２Ｄ対応ネットワークノード１６、１８へのＲＲＣ接続再確立を自律的に実行する。
【０１５５】
上述された、Ｄ２ＤケイパビリティによってトリガされるＲＲＣ接続再確立は標準において予め定義され得ることが理解されるべきである。例えば、上述された第１、第２及び／又は第３の例の実施形態を用いるか否か、及びそのような実施形態をいつ用いるかが標準化され得る。
【０１５６】
さらに、リダイレクションを伴うＲＲＣ接続解放の場合において、ユーザ機器１０は、Ｄ２Ｄ通信をサポートするネットワークノード１６、１８のリストを、当該ユーザ機器１０のサービングネットワークノード１４へ提供し得る。それ故に、サービングネットワークノード１４は、Ｄ２Ｄ対応であって且つ許容可能な無線状況を有する適切なターゲットネットワークノード１６、１８を間接的に選択し得る。
【０１５７】
幾つかの実施形態によれば、ユーザ機器又はネットワークノード又はこれらの双方によって共同で実行される、Ｄ２Ｄトリガのセル変更動作又は手続きは、ネットワークノードのＤ２Ｄケイパビリティに加えて、無線状況及び／又はシステム負荷も考慮し得る。無線状況及び／又はシステム負荷は、ユーザ機器測定結果及び／又は無線ネットワークノード測定結果に基づいて、即ち、ユーザ機器及び／又は無線ネットワークノードによって実行される測定結果に基づいて、判定され得る。少なくとも、ターゲットのＤ２Ｄ対応無線ネットワークノードの無線状況が用いられ得る。ただし、セル変更動作を実行する際、ターゲットのＤ２Ｄ対応無線ネットワークノードの無線状況だけでなく、サービングネットワークノードの無線状況も用いられ得る。セル変更動作を実行する際、ターゲットのＤ２Ｄ対応無線ネットワークノードのシステム負荷、例えば、送信電力等も用いられ得る。
【０１５８】
幾つかの実施形態において、第１の無線ネットワークノード１４からＤ２Ｄ対応無線ネットワークノード１６、１８へのセル変更を実行する動作は、当該セル変更を実行するユーザ機器、例えば、第１のユーザ機器１０によってＤ２Ｄ対応無線ネットワークノード１６、１８について実行される少なくとも１つのユーザ機器測定結果を考慮することをさらに含む。幾つかの実施形態において、第１の無線ネットワークノード１４とＤ２Ｄ対応無線ネットワークノード１６、１８とを対比させる、少なくとも１つのユーザ機器測定結果が考慮されてもよい。
【０１５９】
ユーザ機器測定結果は、ＲＳＲＰ、ＲＳＲＱ、又はキャリア受信信号強度インジケータ（ＲＳＳＩ：Received  Signal  Strength  Indicator）を含み得る。
【０１６０】
幾つかの実施形態において、第１の無線ネットワークノード１４からＤ２Ｄ対応無線ネットワークノード１６、１８へのセル変更を実行する動作は、当該セル変更を実行するユーザ機器、例えば、第１のユーザ機器１０によってＤ２Ｄ対応無線ネットワークノード１６、１８について実行される少なくとも１つの無線ネットワーク測定結果を考慮すること、及び／又は、Ｄ２Ｄ対応無線ネットワークノード１６、１８からの負荷標識を考慮することをさらに含む。
【０１６１】
上記無線ネットワークノード測定結果は、基地局送信電力、ＵＬ及び／若しくはＤＬリソースブロック使用量、並びに／又はセル負荷及び／若しくはセル負荷インジケータを含み得る。セル負荷及び／又はセル負荷インジケータは、ハードウェア負荷、転送ネットワーク負荷、無線リソース負荷、干渉負荷、及び／又はトラフィック負荷を含み得る。
【０１６２】
前述されたように、幾つかの実施形態において、セル変更を実行するユーザ機器又はネットワークノードは、１つ以上のユーザ機器測定結果、即ち、ユーザ機器によって実行される１つ以上の測定結果を用い得る。ユーザ機器測定結果は、ターゲット無線ネットワークノード、即ち、Ｄ２Ｄ対応無線ネットワークノードの無線状況を表し、又はターゲット無線ネットワークノードの無線状況とサービング無線ネットワークノードの無線状況との間の対比を表し得る。従って、ユーザ機器測定結果は、サービングセル又はターゲットセルについて測定される場合は絶対的であり、又は、サービングセルとターゲットセルとを対比させる場合は相対的であり得る。ユーザ機器測定結果の幾つかの例は、信号強度（例えば、ＬＴＥにおけるＲＳＲＰ）及び信号品質（例えば、ＬＴＥにおけるＲＳＲＱ）の測定結果である。
【０１６３】
セル変更を実行するユーザ機器又はネットワークノードは、無線ネットワークノード測定結果又はセル負荷を考慮し得る。ネットワーク測定結果の例は、基地局送信電力、ＵＬ及び／又はＤＬチャネル使用量（例えば、ＵＬ及び／又はＤＬリソースブロック使用量）等である。セル負荷及び／又はセル負荷インジケータの例は、過負荷インジケータ、無線リソース過負荷、ハードウェアリソース使用量、転送チャネルリソース使用量インジケータ、トラフィック負荷、干渉負荷等である。
【０１６４】
第１のユーザ機器１０が、アイドルモードにあり、当該第１のユーザ機器１０がその時点で滞在している第１のネットワークノード１４がＤ２Ｄ対応ではないことを学習し、且つ第２のユーザ機器１６が滞在している第２のネットワークノード１６がＤ２Ｄ対応であることをさらに学習する場合、第１のユーザ機器１２は、第２のネットワークノード１６へのセル再選択を実行しようと試み得る。第１のユーザ機器１０は、近傍ネットワークノード１８などの別のＤ２Ｄ対応ネットワークノードへのセル再選択さえ実行し得る。この後者の場合において、第１のユーザ機器１０は、当該ユーザ機器１０にその時点でサービスを提供しているネットワークノード、即ち、第１のネットワークノード１４によってブロードキャストされる、他のネットワークノードのＤ２Ｄケイパビリティについての情報を用い得る。第１のユーザ機器１０は、ターゲットネットワークノード１６、１８を選択する際、既存の無線測定結果も用い得る。既存の無線測定結果とは、ＲＳＲＰ、ＲＳＲＱ、及びキャリアＲＳＳＩ等を意味する。
【０１６５】
動作５１０。第２のユーザ機器１２がＤ２Ｄ対応無線ネットワークノード１６、１８によってサービスを提供されている場合に、第１のユーザ機器１０は、当該第１のユーザ機器１０と第２のユーザ機器１２との間のＤ２Ｄ通信を確立する。
【０１６６】
通信ネットワーク１においてＤ２Ｄ通信をハンドリングするための、上述された第１のユーザ機器１０における方法動作を実行するために、第１のユーザ機器１０は、図６に表される以下の構成を備える。前述されたように、通信ネットワーク１は、第１のユーザ機器１０と、当該第１のユーザ機器１０にサービスを提供する第１の無線ネットワークノード１４と、第２のユーザ機器１２と、Ｄ２Ｄ対応無線ネットワークノード１６、１８と、を含む。
【０１６７】
第１のユーザ機器１０は、Ｄ２Ｄ通信の相手となるべき第２のユーザ機器１２を認識するように構成される認識回路６０５を備える。
【０１６８】
認識回路６０５は、第２のユーザ機器１２からビーコン信号を受信するように構成され得る。当該ビーコン信号は、第２のユーザ機器１２にサービスを提供する第２のネットワークノード１６に関連する第２のＤ２Ｄケイパビリティ情報を含み得る。
【０１６９】
幾つかの実施形態において、認識回路６０５は、第１の無線ネットワークノード１４から第２のＤ２Ｄケイパビリティ情報を受信するように構成される。
【０１７０】
第１のユーザ機器１０は、第１の無線ネットワークノード１４がＤ２Ｄケイパビリティを有しない場合に第１の無線ネットワークノード１４からＤ２Ｄ対応無線ネットワークノード１６、１８へのセル変更を実行するように構成される実行回路６０６をさらに備える。
【０１７１】
実行回路６０６は、第１のユーザ機器１０にサービスを提供する第１の無線ネットワークノード１４からメッセージを受信するように構成され得る。当該メッセージは、第１のユーザ機器１０に、Ｄ２Ｄ対応無線ネットワークノード１６、１８へのセル変更を実行するように要求し得る。
【０１７２】
実行回路６０６は、第１の無線ネットワークノード１４からＤ２Ｄ対応無線ネットワークノード１６、１８へのセル変更を自律的に実行するように構成されてもよい。幾つかの実施形態において、実行回路６０６は、第１のネットワークノード１４がＤ２Ｄケイパビリティを有しない場合、第１のユーザ機器１０がＤ２Ｄ対応無線ネットワークノード１６、１８についての知識を有する場合、並びに、無線状況が許容可能な限度内、即ち、要件の限度内、例えば、許容可能なＲＳＲＰ測定値内、利用可能な送信電力バジェット内、及びＢＥＲ要件を満たす場合にはセル変更を自律的に実行するように構成される。
【０１７３】
幾つかの実施形態において、実行回路６０６は、セル変更を、ハンドオーバ、接続再確立、若しくはセル再選択、プライマリコンポーネントキャリア変更又はマルチキャリアシステムにおけるプライマリセル変更として実行するように構成される。
【０１７４】
セル変更は互いをＤ２Ｄ通信についての候補として検出するユーザ機器によってトリガされ得ることが理解されるべきである。代替的に又は追加的に、セル変更は、ネットワークノードがサービスを提供しているユーザ機器とのＤ２Ｄ通信についての候補としてユーザ機器を検出する当該ネットワークノードによってトリガされてもよい。
【０１７５】
幾つかの実施形態において、第１のユーザ機器１０は、第１のＤ２Ｄケイパビリティ情報を第２のユーザ機器１２へ送信し、及び／又は第２のＤ２Ｄケイパビリティ情報を第１の無線ネットワークノード１４へ送信するように構成される送信ポート６０４、をさらに備える。
【０１７６】
幾つかの実施形態において、第１のユーザ機器１０は、第２のユーザ機器１２がＤ２Ｄ対応無線ネットワークノード１６によってサービスを提供される場合に、第１のユーザ機器１０と第２のユーザ機器１２との間にＤ２Ｄ通信を確立するように構成される確立回路６０７、をさらに備える。
【０１７７】
第１のユーザ機器１０は、第１の無線ネットワークノード１４から第１のＤ２Ｄケイパビリティ情報を受信するように構成される受信ポート６０１も備え得る。第１のＤ２Ｄケイパビリティ情報は、第１の無線ネットワークノード１４のＤ２Ｄケイパビリティに関連する。受信ポート６０１は、Ｄ２Ｄ対応無線ネットワークノード１６、１８に関連する第２のＤ２Ｄケイパビリティ情報を受信するようにさらに構成される。
【０１７８】
第１のユーザ機器１０の受信ポート６０１は、Ｄ２Ｄケイパビリティ情報を含むメッセージを取得するように構成されてもよい。当該メッセージは、制御チャネル上で受信され得る。上記メッセージは、第１のネットワークノード１４から取得され得る。
【０１７９】
さらに、受信ポート６０１は、Ｄ２Ｄケイパビリティ情報を表すインジケータを取得するように構成されてもよい。当該インジケータは、制御チャネル上で受信され得る。第１の無線ネットワークノード１４によって第１のユーザ機器１０へ送信される上記インジケータは、第１の無線ネットワークノードのＤ２Ｄケイパビリティのレベル又はタイプを示し得る。例えば、インジケータ００は、Ｄ２Ｄケイパビリティ無しを示し、０１は、Ｄ２Ｄ通信についてのモード選択及び電力制御についてのサポートを含む初歩的な（rudimentary）Ｄ２Ｄケイパビリティを示し、インジケータ１０は、そのセルにおける高度な（advanced）Ｄ２Ｄケイパビリティ（例えば、スケジューリング及び複数アンテナのサポート）を示し、並びに、インジケータ１１は、セルラネットワーク内の他のネットワークノードと協力し、並びにＤ２Ｄ通信についての干渉及びモビリティを管理する、ネットワークノードのケイパビリティを示すマルチセルＤ２Ｄケイパビリティを示し得る。
【０１８０】
さらに、第１のユーザ機器１０の受信ポート６０１は、無線ネットワークノード識別子を取得するように構成されてもよい。当該識別子は、Ｄ２Ｄ対応無線ネットワークノードについて用いられる識別子の予め定義されるリストに属し得る。
【０１８１】
無線ネットワークノード識別子の例は、無線ネットワークノードに関連付けられるセルのグローバル一意物理セル識別子、又は無線ネットワークノードのＩＰアドレスである。
【０１８２】
上記予め定義されるリストは、Ｄ２Ｄケイパビリティの記述に関連付けられる無線ネットワークノード識別子を含むテーブルであってもよい。また、上記予め定義されるリストは、セルラネットワークの中央ネットワークノード２０、例えば、ＯＳＳによって確立されてもよい。さらに、上記予め定義されるリストは、セルラネットワークを構成する際、及びセルラネットワーク内に新たな無線ネットワークノードをインストールする際、及び／又はセルラネットワーク内の既存のネットワークノードをアップグレードする際、ＯＳＳを運用する人間のエンジニアによって確立され及び維持されてもよい。
【０１８３】
受信ポート６０１及び送信ポート６０４は、単一の受信及び送信回路として構成されてもよいことが理解されるべきである。
【０１８４】
幾つかの実施形態において、受信ポート６０１は、第２のユーザ機器１２又は第１の無線ネットワークノード１４から第２のＤ２Ｄケイパビリティ情報を受信するように構成される。
【０１８５】
第２のＤ２Ｄケイパビリティ情報は、近傍の無線ネットワークノード１８に関連し得る。当該近傍の無線ネットワークノード１８は、第１のユーザ機器１０及び／又は第２のユーザ機器１２にサービスを提供する近傍の無線ネットワークノードである。これは、近傍の無線ネットワークノード１８が第１のネットワークノード１４及び／又は第２のネットワークノード１６の近傍の無線ネットワークノードであることを意味する。
【０１８６】
幾つかの実施形態において、第１のユーザ機器１０は、第１の無線ネットワークノード１４のＤ２Ｄケイパビリティ及びＤ２Ｄ対応無線ネットワークノード１６、１８のＤ２Ｄケイパビリティをそれぞれ判定するように構成される判定回路６０２、を備える。
【０１８７】
判定回路６０２は、受信されるＤ２Ｄケイパビリティ情報に基づいてＤ２Ｄケイパビリティを判定するように構成され得る。
【０１８８】
第１のユーザ機器１０は、第１の無線ネットワークノード１４へ要求メッセージを送信することによって、及び、要求された追加的なＤ２Ｄケイパビリティ情報を含む応答メッセージを受信することによって、第１の無線ネットワークノード１４に追加的な第１のＤ２Ｄケイパビリティ情報を要求するように構成される要求回路６０３、をさらに備え得る。
【０１８９】
要求メッセージ及び応答メッセージは、ＲＲＣメッセージ、ＭＡＣメッセージ、又はＰＬＣメッセージであり得る。
【０１９０】
Ｄ２Ｄ通信のハンドリングのための、ここでの実施形態は、図６に表されるユーザ機器内の処理回路６０８などの１つ以上のプロセッサと共に、ここでの実施形態の機能及び／又は方法動作を実行するためのコンピュータプログラムコード、を通じて実装されてもよい。
【０１９１】
第１のユーザ機器１０は、メモリ６０９をさらに備え得る。当該メモリは、１つ以上のメモリユニットを備え、例えば、Ｄ２Ｄケイパビリティ情報などのデータを記憶するために用いられ得る。
【０１９２】
図７は、通信ネットワーク１においてＤ２Ｄ通信を可能化するための、第２のネットワークノード１６における方法の実施形態の概略フローチャートである。前述されたように、通信ネットワーク１は、第１の無線ネットワークノード１４によってサービスを提供される第１のユーザ機器１０と、第２のユーザ機器１２と、Ｄ２Ｄ対応無線ネットワークノード１６、１８と、を含む。動作は、以下に述べられる順序で実行される必要はなく、任意の適切な順序で為されてよい。さらに、複数の動作が組み合わせられてもよい。
【０１９３】
動作７０１。第２のネットワークノード１６は、Ｄ２Ｄケイパビリティ情報を第２のユーザ機器１２へ送信し得る。当該Ｄ２Ｄケイパビリティ情報は、第２のネットワークノード１６のケイパビリティに関連するものであってよく、第２のＤ２Ｄケイパビリティ情報と呼ばれることもある。上記Ｄ２Ｄケイパビリティ情報は、近傍ネットワークノード１８のＤ２Ｄケイパビリティにさらに関連し得る。
【０１９４】
動作７０２。第２のネットワークノード１６は、第２のユーザ機器１２から第１のユーザ機器１０へ送信されるアップリンクパケットを分析することによって、第１のユーザ機器１０にサービスを提供する第１の無線ネットワークノード１４を識別し得る。
【０１９５】
幾つかの実施形態において、第２のネットワークノード１６は、適切な技法を用いて、第２のユーザ機器１２によって送信されるアップリンクパケットが、第１のネットワークノード１２によってその時点でサービスを提供されている第１のユーザ機器１０を宛先とすることを検出する。
【０１９６】
適切な技法の例は、第２のネットワークノードの近傍ネットワークノードによってサービスを提供される近傍のユーザ機器のテーブルを第２のネットワークノード１６が維持する技法である。第２のネットワークノードによって維持される、近傍のユーザ機器の上記テーブルは、第１のユーザ機器のＩＰアドレスと、第１のユーザ機器にサービスを提供する第１のネットワークノードのＩＰアドレス並びにセルＩＤ（Ｃｅｌｌ−ＩＤ）、ＰＣＩ及びＣＧＩといった他の関連付けられる識別子と、を含み得る。第２のネットワークノード１６は、第２のユーザ機器１２によって送信されるアップリンクパケットの宛先アドレスを分析し、及び当該宛先アドレスを上記テーブル内に記憶される第１のユーザ機器のＩＰアドレスとマッチングすることができる。
【０１９７】
幾つかの実施形態において、第２のネットワークノード１６は、適切な技法を用いて、第１のネットワークノード１４のセルＩＤ、例えば、ＰＣＩ又はＣＧＩを判定する。適切な技法の例は、第２のネットワークノードが近傍のユーザ機器の上記テーブルに問い合わせを行い（interrogates）、及び第１のネットワークノードのＩＰアドレスを当該第１のネットワークノードのセルＩＤ、ＰＣＩ又はＣＧＩと関連付ける技法である。
【０１９８】
幾つかの実施形態において、少なくとも１つのあるチャネル、例えば、データチャネル上のアップリンクにおける、第１のユーザ機器からの送信信号は、そのサービングセルＩＤ、即ち、そのＰＣＩを用いてエンコードされる。それ故に、第２のネットワークノード１６は、第１のユーザ機器１０によるアップリンクにおける送信信号を、第２のネットワークノード１６にとって既知である場合の第１のネットワークノード１４によって用いられる可能性のあるＰＣＩのセットとの相関を計算する（correlates）ことによって、アップリンク無線測定を実行し得る。
【０１９９】
幾つかの他の実施形態において、第２のネットワークノード１６は、取り得るＰＣＩ値の全て、即ち、ＬＴＥにおいて取り得る５０４個のＰＣＩ値全て、又はＷＣＤＭＡにおいて取り得る５１０個のＰＣＩ値全てを用いることによって、第１のユーザ機器１０によるアップリンクにおける送信信号の相関演算を実行してもよい。より高い相関ピークに対応するＰＣＩは、第１のネットワークノード１４のセルＩＤとして見なされ得る。第２のネットワークノード１６は、検証の目的のため、幾つかの時間インスタンスにおいて、第２のユーザ機器１２からそのような結果（つまり、送信信号とＰＣＩ値との相関演算の際の高い相関値）を取得し得る。
【０２００】
この時点において、第２のネットワークノード１６は、Ｄ２Ｄケイパビリティ問い合わせ（inquiry）メッセージを第２のネットワークノード−第１のネットワークノード間のＸ２通信インタフェースを通じて第１のネットワークノード１４へ送信することによって、第１のネットワークノード１４のＤ２Ｄケイパビリティを判定し得る。
【０２０１】
レガシーのネットワークノードは、Ｄ２Ｄケイパビリティ問い合わせメッセージを解釈することができず、及び第２のネットワークノード１６によって送信されるＤ２Ｄケイパビリティ問い合わせメッセージに応答しない。従って、第２のネットワークノード１６がＤ２Ｄケイパビリティ問い合わせメッセージを第１のネットワークノード１４へ送信する場合、第２のネットワークノード１６は、第１のネットワークノード１４がＤ２Ｄ対応であるかについての、第１のネットワークノード１４からの応答のみを受信するであろう。
【０２０２】
しかしながら、Ｄ２Ｄ対応ネットワークノードは、Ｄ２Ｄケイパビリティ応答メッセージを送信することによって、第２のネットワークノード１６によって送信されたＤ２Ｄケイパビリティ問い合わせメッセージに応答する。そのため、第２のネットワークノード１６がＤ２Ｄケイパビリティ問い合わせメッセージを近傍のＤ２Ｄ対応ネットワークノード１８へ送信する場合、第２のネットワークノード１６は、近傍のＤ２Ｄ対応ネットワークノード１８からの応答を受信するであろう。従って、第２のネットワークノード１６は、Ｄ２Ｄ対応のネットワークノードの知識を取得するであろう。
【０２０３】
動作７０３。第２のネットワークノード１６は、Ｄ２Ｄ問い合わせを第１の無線ネットワークノード１４へ送信して、第１の無線ネットワークノード１４のＤ２Ｄケイパビリティを判定し得る。
【０２０４】
幾つかの実施形態において、Ｄ２Ｄ問い合わせは、ＢＳ−ＢＳ間インタフェース、例えば、ＬＴＥにおけるＸ２インタフェースを用いて送信される。代替的に、第２のネットワークノード１６は、第１のネットワークノードとコアネットワークとの間のＳ１インタフェースを用いて、コアネットワークを通じて第１のネットワークノードへＤ２Ｄ問い合わせメッセージを送信してもよい。
【０２０５】
幾つかの実施形態において、第２のネットワークノード１６は、第１のネットワークノード１４のＤ２Ｄケイパビリティを含むＤ２Ｄ問い合わせ応答メッセージを、Ｄ２Ｄ問い合わせに対する応答として、第１のネットワークノード１４から受信する。
【０２０６】
動作７０４。第２のネットワークノード１６は、近傍のＤ２Ｄ対応無線ネットワークノード１８に関連するＤ２Ｄケイパビリティ情報を受信し得る。
【０２０７】
幾つかの実施形態において、近傍のＤ２Ｄ対応無線ネットワークノード１８に関連するＤ２Ｄケイパビリティ情報は、当該近傍ネットワークノード１８から受信される。近傍のＤ２Ｄ対応無線ネットワークノード１８に関連するＤ２Ｄケイパビリティ情報は、Ｘ２通信インタフェース上で受信され得る。ただし、近傍のＤ２Ｄ対応無線ネットワークノード１８は、第２のネットワークノード１６と同じコアネットワークに接続されてもよく、それによって、近傍のＤ２Ｄ対応無線ネットワークノード１８に関連するＤ２Ｄケイパビリティ情報は、コアネットワーク上で受信され得る。
【０２０８】
幾つかの実施形態において、近傍のＤ２Ｄ対応無線ネットワークノード１８に関連するＤ２Ｄケイパビリティ情報は、第２のネットワークノード１６への直接的なＯ＆Ｍインタフェースを有するＯＳＳなどの中央ネットワークノード２０から受信される。別の例は、ＳＯＮノードである。
【０２０９】
動作７０５。第２のネットワークノード１６は、１つ以上のセル識別子を１つ以上の近傍の無線ネットワークノード１８から取得し得る。セル識別子の例は、ＰＣＩ及びＣＧＩである。
【０２１０】
幾つかの実施形態において、第２のネットワークノード１６は、上記１つ以上の近傍の無線ネットワークノード１８からＸ２通信インタフェース上での通信を介して上記１つ以上のセル識別子を取得することによって、当該１つ以上のセル識別子を取得し得る。ただし、第２のネットワークノード１６は、上記１つ以上のセル識別子を中央ネットワークノード２０から受信してもよい。
【０２１１】
幾つかの実施形態において、第２のネットワークノード１６は、１つ以上の近傍の無線ネットワークノード１８のシステム情報を読み取って当該１つ以上の近傍の無線ネットワークノード１８がＤ２Ｄ対応であるか否かを判定するように第２のユーザ機器１２に要求し、及びその結果を第２のユーザ機器１２から受信してもよい。
【０２１２】
動作７０６。第２のネットワークノード１６は、Ｄ２Ｄ通信をサポートすることが可能な１つ以上の近傍の無線ネットワークノード１８の１つ以上のセル識別子を送信し得る。ここで、当該１つ以上のセル識別子は、第２のユーザ機器１２へ送信される。
【０２１３】
動作７０７。第１の無線ネットワークノード１４がＤ２Ｄケイパビリティを有しない場合、第２のネットワークノード１６は、Ｄ２Ｄ対応無線ネットワークノード１６、１８への第１のユーザ機器１０のセル変更を要求する。
【０２１４】
第２のネットワークノード１６は、第２のユーザ機器１２にサービスを提供するＤ２Ｄ対応無線ネットワークノード１６への第１のユーザ機器１０のセル変更を実行するように第１の無線ネットワークノード１４に要求することによって、セル変更を要求し得る。
【０２１５】
幾つかの実施形態において、第２のネットワークノード１６は、近傍のＤ２Ｄ対応無線ネットワークノード１８へのセル変更を実行するように第１のユーザ機器１０に要求することによって、セル変更を要求する。そのような要求は、第１の無線ネットワークノード１４を介して送信され得る。
【０２１６】
幾つかの実施形態において、第２のネットワークノード１６は、ネットワークノード−ネットワークノード間のＸ２通信インタフェース上で第１のネットワークノード１４と通信することによって、セル変更を実行するように第１のネットワークノードに要求する。
【０２１７】
セル変更は、ハンドオーバ、接続再確立、セル再選択、別のセルへのリダイレクションを伴う接続解放、プライマリコンポーネントキャリア変更又はマルチキャリアシステムにおけるプライマリセル変更であり得る。
【０２１８】
セル変更は互いをＤ２Ｄ通信についての候補として検出するユーザ機器によってトリガされ得ることが理解されるべきである。代替的に又は追加的に、セル変更は、ネットワークノードがサービスを提供しているユーザ機器とのＤ２Ｄ通信についての候補としてユーザ機器を検出する当該ネットワークノードによってトリガされてもよい。
【０２１９】
動作７０８。第２のネットワークノード１６は、第２のユーザ機器１２と第１のユーザ機器１０との間のＤ２Ｄ通信についてリソースを割り当て得る。
【０２２０】
動作７０９。第２のネットワークノード１６は、割り当てられたリソースについての情報を、第２のユーザ機器１２及び第１のユーザ機器１０へ送信し得る。
【０２２１】
通信ネットワーク１においてＤ２Ｄ通信を可能化するための、上述された第２のネットワークノード１６における方法動作を実行するために、第２のネットワークノード１６は、図８に表される以下の構成を備える。前述されたように、通信ネットワーク１は、第１のユーザ機器１０と、当該第１のユーザ機器１０にサービスを提供する第１の無線ネットワークノード１４と、第２のユーザ機器１２と、Ｄ２Ｄ対応無線ネットワークノード１６、１８と、を含む。
【０２２２】
第２の無線ネットワークノード１６は、第１の無線ネットワークノード１４がＤ２Ｄケイパビリティを有しない場合にＤ２Ｄ可能無線ネットワークノード１６、１８への第１のユーザ機器１０のセル変更を要求するように構成される要求回路８０４、を備える。
【０２２３】
要求回路８０４は、第２のユーザ機器１２にサービスを提供するＤ２Ｄ対応無線ネットワークノード１６への第１のユーザ機器１０のセル変更を実行するように第１の無線ネットワークノード１４に要求するように構成され得る。
【０２２４】
幾つかの実施形態において、要求回路８０４は、近傍のＤ２Ｄ対応無線ネットワークノード１８へのセル変更を実行するように第１の無線ネットワークノード１４を介して第１のユーザ機器１０に要求するように構成される。
【０２２５】
前述されたように、セル変更は、ハンドオーバ、接続再確立、若しくはセル再選択、別のセルへのリダイレクションを伴う接続解放、プライマリコンポーネントキャリア変更又はマルチキャリアシステムにおけるプライマリセル変更であり得る。
【０２２６】
セル変更は互いをＤ２Ｄ通信についての候補として検出するユーザ機器によってトリガされ得ることが理解されるべきである。代替的に又は追加的に、セル変更は、ネットワークノードがサービスを提供しているユーザ機器とのＤ２Ｄ通信についての候補としてユーザ機器を検出する当該ネットワークノードによってトリガされてもよい。
【０２２７】
第２の無線ネットワークノード１６は、第２のユーザ機器１２と第１のユーザ機器１０との間のＤ２Ｄ通信についてのリソースを割り当てるように構成される割り当て回路８０５、をさらに備え得る。
【０２２８】
幾つかの実施形態において、第２の無線ネットワークノード１６は、割り当てられたリソースについての情報を第２のユーザ機器１２及び第１のユーザ機器１０へ送信するように構成される受信及び送信回路８０１、を備える。
【０２２９】
受信及び送信回路８０１は、近傍のＤ２Ｄ対応無線ネットワークノード１８に関連するＤ２Ｄケイパビリティ情報を受信するようにさらに構成され得る。
【０２３０】
幾つかの実施形態において、受信及び送信回路８０１は、Ｄ２Ｄ通信をサポートすることが可能な１つ以上の近傍の無線ネットワークノード１８の１つ以上のセル識別子を送信するようにさらに構成され得る。ここで、当該１つ以上のセル識別子は、第２のユーザ機器１２へ送信される。
【０２３１】
複数の実施形態において、受信及び送信回路８０１は、受信ポート及び送信ポートとして構成される。
【０２３２】
第２の無線ネットワークノード１６は、１つ以上の近傍の無線ネットワークノード１８から１つ以上のセル識別子を取得するように構成される取得回路８０３、をさらに備え得る。
【０２３３】
取得回路８０３は、１つ以上の近傍の無線ネットワークノード１８からＸ２通信インタフェース上での通信を介して１つ以上のセル識別子を取得するように構成され得る。
【０２３４】
取得回路８０３は、中央ネットワークノード２０から１つ以上のセル識別子を受信するようにさらに構成され得る。
【０２３５】
幾つかの実施形態において、取得回路８０３は、１つ以上の近傍の無線ネットワークノード１８のシステム情報を読み取って当該１つ以上の近傍の無線ネットワークノード１８がＤ２Ｄ対応であるか否かを判定するように第２のユーザ機器１２に要求し、及びその結果を第２のユーザ機器１２から受信するように構成される。
【０２３６】
第２の無線ネットワークノード１６は、第２のユーザ機器１２から第１のユーザ機器１０へ送信されるアップリンクパケットを分析することによって、第１のユーザ機器１０にサービスを提供する第１の無線ネットワークノード１４を識別し、及びＤ２Ｄ問い合わせを第１の無線ネットワークノード１４へ送信して、当該第１の無線ネットワークノード１４のＤ２Ｄケイパビリティを判定するように構成される判定回路８０２、をさらに備えてもよい。
【０２３７】
Ｄ２Ｄ通信を可能化するための、ここでの実施形態は、図８に表されるユーザ機器における処理回路８０６などの１つ以上のプロセッサと共に、ここでの実施形態の機能及び／又は方法動作を実行するためのコンピュータプログラム、を通じて実装されてもよい。
【０２３８】
第２の無線ネットワークノード１６は、メモリ８０７をさらに備え得る。メモリは、１つ以上のメモリユニットを備え、例えば、Ｄ２Ｄケイパビリティ情報などのデータを記憶するために用いられ得る。
【０２３９】
“comprise（備える／含む）”又は“comprising（備える／含む）”という単語を用いる場合、当該用語は、少なくとも〜から成るという意味において、非限定的なものとして解釈されるべきである。
【０２４０】
“action/actions（動作／複数の動作）”という単語を用いる場合、当該用語は、広く解釈されるべきであり、当該動作が記載される順序で実行されなければならないことを意味しない。むしろ、当該動作は、記載される順序以外の任意の適切な順序で実行され得る。さらに、幾つかの動作は、随意的であってもよい。
【０２４１】
ここでの実施形態は、上述された例に限定されない。種々の代替案、変形例及び均等物が用いられ得る。それ故に、上記の例は、本発明の範囲を限定するものとしてみなされるべきではなく、本発明の範囲は、添付の特許請求の範囲によって定義される。
【図１】
0005813241.tif 000002
【図２】
0005813241.tif 000003
【図３】
0005813241.tif 000004
【図４】
0005813241.tif 000005
【図５】
0005813241.tif 000006
【図６】
0005813241.tif 000007
【図７】
0005813241.tif 000008
【図８】
0005813241.tif 000009